(57)【特許請求の範囲】
【請求項１】
一対の電極と、
前記一対の電極間に設けられたＥＬ層と、
を有する発光装置であって、
前記ＥＬ層は、第１の有機化合物と、第２の有機化合物と、ゲスト材料と、を有し、
前記第１の有機化合物は、室温で熱活性化遅延蛍光を呈することができる機能を有し、
前記ゲスト材料は、蛍光を呈することができる機能を有し、
前記第１の有機化合物のＨＯＭＯ準位は、前記第２の有機化合物のＨＯＭＯ準位以上のエネルギー準位を有し、
前記第１の有機化合物のＬＵＭＯ準位は、前記第２の有機化合物のＬＵＭＯ準位以下のエネルギー準位を有し、
前記第２の有機化合物の三重項励起エネルギーの最も低い準位は、前記第１の有機化合物の三重項励起エネルギーの最も低い準位よりも高く、
前記第２の有機化合物の一重項励起エネルギーの最も低い準位は、前記第１の有機化合物の一重項励起エネルギーの最も低い準位よりも高い、ことを特徴とする発光装置。
【請求項２】
一対の電極と、
前記一対の電極間に設けられたＥＬ層と、
を有する発光装置であって、
前記ＥＬ層は、第１の有機化合物と、第２の有機化合物と、ゲスト材料と、を有し、
前記第１の有機化合物は、室温で熱活性化遅延蛍光を呈することができる機能を有し、
前記ゲスト材料は、蛍光を呈することができる機能を有し、
前記第１の有機化合物の酸化電位は、前記第２の有機化合物の酸化電位以下であり、
前記第１の有機化合物の還元電位は、前記第２の有機化合物の還元電位以上であり、
前記第２の有機化合物の三重項励起エネルギーの最も低い準位は、前記第１の有機化合物の三重項励起エネルギーの最も低い準位よりも高く、
前記第２の有機化合物の一重項励起エネルギーの最も低い準位は、前記第１の有機化合物の一重項励起エネルギーの最も低い準位よりも高い、ことを特徴とする発光装置。
【請求項３】
一対の電極と、
前記一対の電極間に設けられたＥＬ層と、
を有する発光装置であって、
前記ＥＬ層は、第１の有機化合物と、第２の有機化合物と、ゲスト材料と、を有し、（但し、前記第１の有機化合物が２，４，６−Ｔｒｉ（４−（１０Ｈ−ｐｈｅｎｏｘａｚｉｎ−１０Ｈｙｌ）ｐｈｅｎｙｌ）−１，３，５−ｔｒｉａｚｉｎｅであり、前記第２の有機化合物が４，４’−ｂｉｓ（９−ｃａｒｂａｚｏｌｙｌ）−１，１’−ｂｉｐｈｅｎｙｌである組み合わせを除く）
前記第１の有機化合物は、室温で熱活性化遅延蛍光を呈することができる機能を有し、
前記ゲスト材料は、蛍光を呈することができる機能を有し、
前記第１の有機化合物のＨＯＭＯ準位は、前記第２の有機化合物のＨＯＭＯ準位以上のエネルギー準位を有し、
前記第１の有機化合物のＬＵＭＯ準位は、前記第２の有機化合物のＬＵＭＯ準位以下のエネルギー準位を有する、ことを特徴とする発光装置。
【請求項４】
一対の電極と、
前記一対の電極間に設けられたＥＬ層と、
を有する発光装置であって、
前記ＥＬ層は、第１の有機化合物と、第２の有機化合物と、ゲスト材料と、を有し、（但し、前記第１の有機化合物が２，４，６−Ｔｒｉ（４−（１０Ｈ−ｐｈｅｎｏｘａｚｉｎ−１０Ｈｙｌ）ｐｈｅｎｙｌ）−１，３，５−ｔｒｉａｚｉｎｅであり、前記第２の有機化合物が４，４’−ｂｉｓ（９−ｃａｒｂａｚｏｌｙｌ）−１，１’−ｂｉｐｈｅｎｙｌである組み合わせを除く）
前記第１の有機化合物は、室温で熱活性化遅延蛍光を呈することができる機能を有し、
前記ゲスト材料は、蛍光を呈することができる機能を有し、
前記第１の有機化合物の酸化電位は、前記第２の有機化合物の酸化電位以下であり、
前記第１の有機化合物の還元電位は、前記第２の有機化合物の還元電位以上である、ことを特徴とする発光装置。
【請求項５】
請求項１乃至請求項４のいずれか一項において、
前記第１の有機化合物の一重項励起エネルギーの最も低い準位と、前記第１の有機化合物の三重項励起エネルギーの最も低い準位との差が０ｅＶを超えて０．２ｅＶ以下である、ことを特徴とする発光装置。
【請求項６】
請求項１乃至請求項５のいずれか一項において、
前記ゲスト材料が発光を呈する、ことを特徴とする発光装置。
【請求項７】
請求項１乃至請求項６のいずれか一項において、
前記第２の有機化合物と前記第１の有機化合物の重量比（前記第２の有機化合物：前記第１の有機化合物）は、１：０．０５から１：０．５の範囲であり、
前記第２の有機化合物と前記ゲスト材料の重量比（前記第２の有機化合物：前記ゲスト材料）は、１：０．００１から１：０．０１の範囲である、ことを特徴とする発光装置。
【請求項８】
請求項１乃至請求項７のいずれか一項に記載の発光装置と、
カラーフィルタ、シール材、またはトランジスタと、を有する表示装置。
【請求項９】
請求項８に記載の表示装置と、
筐体またはタッチセンサと、を有する電子機器。
【請求項１０】
請求項１乃至請求項７のいずれか一項に記載の発光装置と、
筐体またはタッチセンサと、を有する照明装置。
【発明の詳細な説明】
【技術分野】
【０００１】
本発明の一態様は、電界を加えることにより発光が得られる発光層を一対の電極間に挟んでなる発光素子、または該発光素子を有する表示装置、電子機器、及び照明装置に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、液晶表示装置、発光装置、照明装置、蓄電装置、記憶装置、それらの駆動方法、または、それらの製造方法、を一例として挙げることができる。
【背景技術】
【０００３】
近年、エレクトロルミネッセンス（Ｅｌｅｃｔｒｏｌｕｍｉｎｅｓｃｅｎｃｅ：ＥＬ）を利用した発光素子の研究開発が盛んに行われている。これら発光素子の基本的な構成は、一対の電極間に発光性の物質を含む層（ＥＬ層）を挟んだものである。この素子の電極間に電圧を印加することにより、発光性の物質からの発光が得られる。
【０００４】
上述の発光素子は自発光型であるため、これを用いた表示装置は、視認性に優れ、バックライトが不要であり、消費電力が少ない等の利点を有する。さらに、薄型軽量に作製でき、応答速度が高いなどの利点も有する。
【０００５】
発光材料に有機材料を用い、一対の電極間に当該発光材料を含むＥＬ層を設けた発光素子（例えば、有機ＥＬ素子）の場合、一対の電極間に電圧を印加することにより、陰極から電子が、陽極から正孔（ホール）がそれぞれ発光性のＥＬ層に注入され、電流が流れる。そして、注入された電子及び正孔が再結合することによって発光性の有機材料が励起状態となり、励起された発光性の有機材料から発光を得ることができる。
【０００６】
有機材料が形成する励起状態の種類としては、一重項励起状態（Ｓ１）と三重項励起状態（Ｔ１）があり、一重項励起状態からの発光が蛍光、三重項励起状態からの発光が燐光と呼ばれている。また、発光素子におけるそれらの統計的な生成比率は、Ｓ１：Ｔ１＝１：３である。そのため、蛍光を発する材料を用いた発光素子より、燐光を発する材料を用いた発光素子の方が、高い発光効率を得ることが可能となる。したがって、三重項励起状態を発光に変換することが可能な燐光を発する材料を用いた発光素子の開発が近年盛んに行われている。
【０００７】
また、三重項励起状態の一部を発光に変換することが可能な材料として、熱活性化遅延蛍光（Ｔｈｅｒｍａｌｌｙ  ａｃｔｉｖａｔｅｄ  ｄｅｌａｙｅｄ  ｆｌｕｏｒｅｓｃｅｎｃｅ：ＴＡＤＦ）体が知られている。熱活性化遅延蛍光体では、三重項励起状態から逆項間交差により一重項励起状態が生成され、一重項励起状態から発光に変換される。特許文献１及び特許文献２では、熱活性化遅延蛍光を発する材料について開示されている。
【０００８】
熱活性化遅延蛍光体を用いた発光素子において、発光効率を高めるためには、熱活性化遅延蛍光体において、三重項励起状態から一重項励起状態が効率よく生成するだけでなく、一重項励起状態から効率よく発光が得られること、すなわち蛍光量子収率が高いことが重要となる。しかしながら、この２つを同時に満たす発光材料を設計することは困難である。
【０００９】
そこで、熱活性化遅延蛍光体と、蛍光を発する材料と、を有する発光素子において、熱活性化遅延蛍光体の一重項励起エネルギーを、蛍光を発する材料へと移動させ、蛍光を発する材料から発光を得る方法が提案されている（特許文献３参照）。
【先行技術文献】
【特許文献】
【００１０】
【特許文献１】特開２００４−２４１３７４号公報
【特許文献２】特開２００６−２４８３０号公報
【特許文献３】特開２０１４−４５１７９号公報
【発明の概要】
【発明が解決しようとする課題】
【００１１】
熱活性化遅延蛍光体と、蛍光を発する材料と、を有する発光素子において、発光効率を高めるためには、三重項励起状態から一重項励起状態が効率よく生成することが重要である。また、熱活性化遅延蛍光体の励起状態から蛍光を発する材料の励起状態へ、効率よくエネルギーが移動することが重要である。
【００１２】
本発明の一態様では、蛍光を発する材料を発光材料として有する発光素子において、発光効率が高い発光素子を提供することを課題の一とする。または、本発明の一態様では、信頼性の高い発光素子を提供することを課題の一とする。または、本発明の一態様では、発光効率が高く、信頼性の高い発光素子を提供することを課題の一とする。または、本発明の一態様では、新規な発光素子を提供することを課題の一つとする。または、本発明の一態様では、発光効率が高く、消費電力が低減された新規な発光素子を提供することを課題の一つとする。
【００１３】
なお、上記の課題の記載は、他の課題の存在を妨げるものではない。なお、本発明の一態様は、必ずしも、これらの課題の全てを解決する必要はない。上記以外の課題は、明細書等の記載から自ずと明らかになるものであり、明細書等の記載から上記以外の課題を抽出することが可能である。
【課題を解決するための手段】
【００１４】
本発明の一態様は、一対の電極と、一対の電極間に設けられたＥＬ層と、を有する発光素子であって、ＥＬ層は、第１の有機化合物と、第２の有機化合物と、ゲスト材料と、を有し、第１の有機化合物は、室温で熱活性化遅延蛍光を呈することができる機能を有し、ゲスト材料は、蛍光を呈することができる機能を有し、第１の有機化合物のＨＯＭＯは、第２の有機化合物のＨＯＭＯ以上のエネルギー準位を有し、第１の有機化合物のＬＵＭＯは、第２の有機化合物のＬＵＭＯ以下のエネルギー準位を有する、ことを特徴とする発光素子である。
【００１５】
また、本発明の他の一態様は、一対の電極と、一対の電極間に設けられたＥＬ層と、を有する発光素子であって、ＥＬ層は、第１の有機化合物と、第２の有機化合物と、ゲスト材料と、を有し、第１の有機化合物は、室温で熱活性化遅延蛍光を呈することができる機能を有し、ゲスト材料は、蛍光を呈することができる機能を有し、第１の有機化合物の酸化電位は、第２の有機化合物の酸化電位以下であり、第１の有機化合物の還元電位は、第２の有機化合物の還元電位以上である、ことを特徴とする発光素子である。
【００１６】
また、上記各構成において、第１の有機化合物の一重項励起エネルギー準位と三重項励起エネルギー準位との差が０ｅＶを超えて０．２ｅＶ以下であると好ましい。
【００１７】
また、上記各構成において、ゲスト材料が発光を呈することが好ましい。
【００１８】
また、上記各構成において、第１の有機化合物は、第１のπ電子不足型複素芳香族骨格と、第１のπ電子過剰型複素芳香族骨格と、を有し、第２の有機化合物は、第２のπ電子不足型複素芳香族骨格と、第２のπ電子過剰型複素芳香族骨格と、を有すると好ましい。
【００１９】
また、上記各構成において、第１のπ電子不足型複素芳香族骨格は、ジアジン骨格、またはトリアジン骨格、を有し、第１のπ電子過剰型複素芳香族骨格は、アクリジン骨格、フェノキサジン骨格、または３−（９−フェニル−９Ｈ−カルバゾール−３−イル）−９Ｈ−カルバゾール骨格、の中から選ばれるいずれか一つまたは複数を有し、第２のπ電子不足型複素芳香族骨格は、ピリジン骨格、またはジアジン骨格を有し、第２のπ電子過剰型複素芳香族骨格は、フラン骨格、チオフェン骨格、フルオレン骨格、またはピロール骨格、の中から選ばれるいずれか一つまたは複数を有すると好ましい。
【００２０】
また、上記各構成において、第２の有機化合物と第１の有機化合物の重量比（第２の有機化合物：第１の有機化合物）は、１：０．０５から１：０．５であり、第２の有機化合物とゲスト材料の重量比（第２の有機化合物：ゲスト材料）は、１：０．００１から１：０．０１であると好ましい。
【００２１】
また、本発明の他の一態様は、上記各構成の発光素子と、カラーフィルタ、シール、またはトランジスタと、を有する表示装置である。また、本発明の他の一態様は、当該表示装置と、筐体またはタッチセンサ機能と、を有する電子機器である。また、本発明の他の一態様は、上記各構成の発光素子と、筐体またはタッチセンサ機能と、を有する照明装置である。
【発明の効果】
【００２２】
本発明の一態様により、蛍光を発する材料を発光材料として有する発光素子において、発光効率が高い発光素子を提供することができる。または、本発明の一態様により、信頼性の高い発光素子を提供することができる。または、本発明の一態様により、発光効率が高く、信頼性の高い発光素子を提供することができる。または、本発明の一態様により、新規な発光素子を提供することができる。または、本発明の一態様により、発光効率が高く、消費電力が低減された新規な発光素子を提供することができる。
【００２３】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２４】
【図１】本発明の一態様の発光素子を説明する断面模式図。
【図２】本発明の一態様の発光素子におけるエネルギー準位の相関を説明する図。
【図３】本発明の一態様の発光素子を説明する断面模式図、及び発光層におけるエネルギー準位の相関を説明する図。
【図４】本発明の一態様の発光素子を説明する断面模式図、及び発光層におけるエネルギー準位の相関を説明する図。
【図５】本発明の一態様の表示装置を説明するブロック図及び回路図。
【図６】本発明の一態様のタッチパネルの一例を示す斜視図。
【図７】本発明の一態様の表示装置、及びタッチセンサの一例を示す断面図。
【図８】本発明の一態様のタッチパネルの一例を示す断面図。
【図９】本発明の一態様のタッチセンサのブロック図及びタイミングチャート図。
【図１０】本発明の一態様のタッチセンサの回路図。
【図１１】本発明の一態様の表示モジュールを説明する斜視図。
【図１２】本発明の一態様の電子機器について説明する図。
【図１３】本発明の一態様の照明装置について説明する図。
【図１４】実施例１および２に係る、発光素子を説明する断面模式図。
【図１５】実施例１に係る、ホスト材料の過渡蛍光特性を説明する図。
【図１６】実施例１に係る、発光素子の電流効率−輝度特性を説明する図。
【図１７】実施例１に係る、発光素子の電流−電圧特性を説明する図。
【図１８】実施例１に係る、発光素子の外部量子効率−輝度特性を説明する図。
【図１９】実施例１に係る、発光素子の電界発光スペクトルを説明する図。
【図２０】実施例２に係る、発光素子の電流効率−輝度特性を説明する図。
【図２１】実施例２に係る、発光素子の電流−電圧特性を説明する図。
【図２２】実施例２に係る、発光素子の外部量子効率−輝度特性を説明する図。
【図２３】実施例２に係る、発光素子の電界発光スペクトルを説明する図。
【図２４】実施例２に係る、発光素子の電流効率−輝度特性を説明する図。
【図２５】実施例２に係る、発光素子の電流−電圧特性を説明する図。
【図２６】実施例２に係る、発光素子の外部量子効率−輝度特性を説明する図。
【図２７】実施例２に係る、発光素子の電界発光スペクトルを説明する図。
【発明を実施するための形態】
【００２５】
以下、本発明の実施の態様について図面を用いて詳細に説明する。但し、本発明は以下の説明に限定されず、本発明の趣旨及びその範囲から逸脱することなくその形態及び詳細を様々に変更し得ることが可能である。従って、本発明は以下に示す実施の形態の記載内容に限定して解釈されるものではない。
【００２６】
なお、図面等において示す各構成の、位置、大きさ、範囲などは、理解の簡単のため、実際の位置、大きさ、範囲などを表していない場合がある。このため、開示する発明は、必ずしも、図面等に開示された位置、大きさ、範囲などに限定されない。
【００２７】
また、本明細書等において、第１、第２等として付される序数詞は便宜上用いるものであり、工程順又は積層順を示さない場合がある。そのため、例えば、「第１の」を「第２の」又は「第３の」などと適宜置き換えて説明することができる。また、本明細書等に記載されている序数詞と、本発明の一態様を特定するために用いられる序数詞は一致しない場合がある。
【００２８】
また、本明細書等において、図面を用いて発明の構成を説明するにあたり、同じものを指す符号は異なる図面間でも共通して用いる場合がある。
【００２９】
また、本明細書等において、「膜」という用語と、「層」という用語とは、互いに入れ替えることが可能である。例えば、「導電層」という用語を、「導電膜」という用語に変更することが可能な場合がある。または、例えば、「絶縁膜」という用語を、「絶縁層」という用語に変更することが可能な場合がある。
【００３０】
なお、本明細書等において、一重項励起状態は、励起エネルギーを有する一重項状態のことである。また、Ｓ１準位は、一重項励起エネルギー準位の最も低い準位であり、最も低い一重項励起状態の励起エネルギー準位のことである。また、三重項励起状態は、励起エネルギーを有する三重項状態のことである。また、Ｔ１準位は、三重項励起エネルギー準位の最も低い準位であり、最も低い三重項励起状態の励起エネルギー準位のことである。なお、本明細書等において、一重項励起状態および一重項励起エネルギー準位と表記した場合であっても、最も低い一重項励起状態およびＳ１準位を表す場合がある。また、三重項励起状態および三重項励起エネルギー準位と表記した場合であっても、最も低い三重項励起状態およびＴ１準位を表す場合がある。
【００３１】
また、本明細書等において蛍光材料とは、一重項励起状態の最も低い準位（Ｓ１準位）から基底状態へ緩和する際に可視光領域に発光を与える材料である。燐光材料とは、三重項励起状態の最も低い準位（Ｔ１準位）から基底状態へ緩和する際に、室温において可視光領域に発光を与える材料である。換言すると燐光材料とは、三重項励起エネルギーを可視光へ変換可能な材料の一つである。
【００３２】
また、本明細書等において、熱活性化遅延蛍光体とは、熱活性化による逆項間交差によって三重項励起状態から一重項励起状態を生成できる材料をいう。熱活性化遅延蛍光体は、例えば、ＴＡＤＦを発する材料のように、単独で三重項励起状態から逆項間交差により一重項励起状態を生成できる材料を含んでも良い。また、励起錯体（エキサイプレックス、またはＥｘｃｉｐｌｅｘともいう）を形成する２種類の材料の組み合わせを含んでも良い。
【００３３】
熱活性化遅延蛍光体とは、三重項励起状態と一重項励起状態が近い材料ということもできる。より具体的には、三重項励起状態と一重項励起状態のエネルギー準位の差が０ｅＶを超えて０．２ｅＶ以下の材料が好ましい。すなわち、ＴＡＤＦを発する材料のように単独で三重項励起状態から逆項間交差により一重項励起状態を生成できる材料における、三重項励起状態と一重項励起状態のエネルギー準位の差が０ｅＶを超えて０．２ｅＶ以下であるか、励起錯体における三重項励起状態と一重項励起状態のエネルギー準位の差が０ｅＶを超えて０．２ｅＶ以下であることが好ましい。
【００３４】
また、本明細書等において、熱活性化遅延蛍光の発光エネルギーとは、熱活性化遅延蛍光の最も短波長側の発光ピーク（ショルダーを含む）とする。また、本明細書等において、燐光発光エネルギーまたは三重項励起エネルギーとは、燐光発光の最も短波長側の燐光発光ピーク（ショルダーを含む）とする。なお、上記燐光発光は、低温（例えば、１０Ｋ）環境下において、時間分解フォトルミネッセンス法を行うことで観測することができる。
【００３５】
なお、本明細書等において、室温とは、０℃乃至４０℃のいずれかの温度をいう。
【００３６】
（実施の形態１）
本実施の形態では、本発明の一態様の発光素子について、図１および図２を用いて以下説明する。
【００３７】
＜１．発光素子の構成例＞
まず、本発明の一態様の発光素子の構成について、図１を用いて、以下説明する。
【００３８】
発光素子１５０は、一対の電極（電極１０１及び電極１０２）間に設けられたＥＬ層１００を有する。ＥＬ層１００は、少なくとも発光層１２０を有する。なお、本実施の形態においては、電極１０１を陽極として、電極１０２を陰極として説明するが、発光素子１５０の構成としては、逆であっても構わない。
【００３９】
また、図１（Ａ）に示すＥＬ層１００は、発光層１２０の他に、機能層を有する。機能層は、正孔注入層１１１、正孔輸送層１１２、電子輸送層１１８、電子注入層１１９で構成される。なお、ＥＬ層１００の構成は、図１（Ａ）に示す構成に限定されず、正孔注入層１１１、正孔輸送層１１２、電子輸送層１１８、電子注入層１１９の中から選ばれた少なくとも一つを有する構成とすればよい。または、ＥＬ層１００は、正孔または電子注入障壁を低減する、正孔または電子輸送性を向上する、正孔または電子輸送性を阻害する、または電極による消光現象を抑制する、ことができる等の機能を有する他の機能層を有する構成としても良い。
【００４０】
また、図１（Ｂ）は、図１（Ａ）に示す発光層１２０の一例を示す断面模式図である。図１（Ｂ）に示す発光層１２０は、有機化合物１３１と、有機化合物１３２と、ゲスト材料１３３と、を有する。
【００４１】
有機化合物１３１には、熱活性化遅延蛍光体を用いると好ましい。熱活性化遅延蛍光体は、三重項励起エネルギーを逆項間交差によって一重項励起エネルギーに変換できる機能を有する。そのため、発光層１２０で生成した三重項励起エネルギーの少なくとも一部は、有機化合物１３１により一重項励起エネルギーに変換される。そして、該一重項励起エネルギーは、ゲスト材料１３３に移動することで、蛍光発光として取り出される。そのためには、有機化合物１３１の一重項励起エネルギー準位と三重項励起エネルギー準位との差が０ｅＶを超えて０．２ｅＶ以下であると好ましい。また、有機化合物１３１の一重項励起エネルギー準位は、ゲスト材料１３３の一重項励起エネルギー準位より高く、有機化合物１３１の三重項励起エネルギー準位は、ゲスト材料１３３の一重項励起エネルギー準位より高いことが好ましい。そうすることで、有機化合物１３１の三重項励起エネルギー準位を一重項励起エネルギー準位に近づけることができる。
【００４２】
有機化合物１３２は、有機化合物１３１およびゲスト材料１３３を失活させないよう、バンドギャップの大きい材料が好ましい。すなわち、有機化合物１３２の一重項励起エネルギー準位は、有機化合物１３１およびゲスト材料１３３の一重項励起エネルギー準位より高いことが好ましく、有機化合物１３２の三重項励起エネルギー準位は、有機化合物１３１およびゲスト材料１３３の三重項励起エネルギー準位より高いことが好ましい。また、有機化合物１３２以外に、同様の機能を有する他の化合物がさらに発光層１２０に含まれていても良い。
【００４３】
ゲスト材料１３３としては、発光性の有機材料を用いればよく、該発光性の有機材料としては、蛍光を発することができる機能を有する材料（以下、蛍光材料ともいう）であると好適である。以下の説明においては、ゲスト材料１３３として、蛍光材料を用いる構成について説明する。なお、ゲスト材料１３３を蛍光材料として読み替えても良い。
【００４４】
＜２．発光素子の発光機構＞
まず、発光素子１５０の発光機構について、以下説明を行う。
【００４５】
本発明の一態様の発光素子１５０においては、一対の電極（電極１０１及び電極１０２）間に電圧を印加することにより、陰極から電子が、陽極から正孔（ホール）が、それぞれＥＬ層１００に注入され、電流が流れる。そして、注入された電子及び正孔が再結合することによって、ＥＬ層１００が有する発光層１２０内のゲスト材料１３３が励起状態となり、励起されたゲスト材料１３３から発光を得ることができる。
【００４６】
なお、以下の３つの過程により、ゲスト材料１３３からの発光が得られる。
（α）ゲスト材料における直接再結合過程
（β）熱活性化遅延蛍光体からのエネルギー移動過程
（γ）ホスト材料からのエネルギー移動過程
【００４７】
≪（α）ゲスト材料における直接再結合過程≫
まず、ゲスト材料１３３における直接再結合過程を説明するために、図２（Ａ）にエネルギー準位の相関を説明する模式図を示す。なお、図２（Ａ）における表記及び符号は以下の通りである。
・Ｈｏｓｔ１（１３１）：有機化合物１３１
・Ｈｏｓｔ２（１３２）：有機化合物１３２
・Ｇｕｅｓｔ（１３３）：ゲスト材料１３３（蛍光材料）
・ＳＡ：有機化合物１３１の一重項励起エネルギーの最も低い準位
・ＴＡ：有機化合物１３１の三重項励起エネルギーの最も低い準位
・ＳＨ：有機化合物１３２の一重項励起エネルギーの最も低い準位
・ＴＨ：有機化合物１３２の三重項励起エネルギーの最も低い準位
・ＳＧ：ゲスト材料１３３（蛍光材料）の一重項励起エネルギーの最も低い準位
・ＴＧ：ゲスト材料１３３（蛍光材料）の三重項励起エネルギーの最も低い準位
【００４８】
図２（Ａ）に図示するように、キャリア（電子および正孔）が、ゲスト材料１３３において再結合すると、ゲスト材料１３３の励起状態が形成される。このとき、ゲスト材料１３３の励起状態が一重項励起状態のとき、蛍光発光が得られる。一方で、ゲスト材料１３３の励起状態が三重項励起状態のとき、熱失活する。
【００４９】
上述の（α）ゲスト材料におけるキャリアの直接再結合過程において、ゲスト材料１３３の蛍光量子収率が高ければ、ゲスト材料１３３は一重項励起状態から効率よく発光する。しかしながら、ゲスト材料１３３の三重項励起状態は発光に寄与しない。
【００５０】
≪（β）熱活性化遅延蛍光体からのエネルギー移動過程≫
次に、有機化合物１３１及びゲスト材料１３３のエネルギー移動過程を説明するために、図２（Ｂ）にエネルギー準位の相関を説明する模式図を示す。なお、図２（Ｂ）における表記及び符号は、図２（Ａ）と同様である。
【００５１】
キャリアが、有機化合物１３１において再結合すると、有機化合物１３１の励起状態が形成される。このとき、有機化合物１３１の励起状態が一重項励起状態であり、且つ、有機化合物１３１のＳＡが、ゲスト材料１３３のＳＧよりも高い場合、図２（Ｂ）のルートＥ１に示すように、有機化合物１３１の一重項励起エネルギーは、有機化合物１３１のＳＡからゲスト材料１３３のＳＧにエネルギー移動し、ゲスト材料１３３が一重項励起状態になる。一重項励起状態となったゲスト材料１３３からは、蛍光発光が呈される。
【００５２】
なお、有機化合物１３１の一重項励起状態から、ゲスト材料１３３の三重項励起状態へのエネルギー移動は、ゲスト材料１３３における一重項基底状態から三重項励起状態への直接遷移が禁制であることから、主たるエネルギー移動過程になりにくいため、ここでは説明を省略する。つまり、下記一般式（Ｇ１）の通り、有機化合物１３１の一重項励起状態から、ゲスト材料１３３の一重項励起状態へのエネルギー移動が重要である。
【００５３】
１Ａ＊＋１Ｇ  →  １Ａ＋１Ｇ＊  （Ｇ１）
【００５４】
なお、一般式（Ｇ１）中、１Ａ＊および１Ｇ＊は、それぞれ有機化合物１３１およびゲスト材料１３３の一重項励起状態を表し、１Ａおよび１Ｇは、それぞれ有機化合物１３１およびゲスト材料１３３の一重項基底状態を表す。
【００５５】
次に、有機化合物１３１の励起状態が生成し、それが三重項励起状態である場合、下記の２つの過程を辿って蛍光発光が得られる。
【００５６】
有機化合物１３１は熱活性化遅延蛍光体であるため、１つ目の過程として、図２（Ｂ）のルートＡ１に示すように、有機化合物１３１のＴＡから逆項間交差（アップコンバージョン）によって、ＳＡに励起エネルギーが移動する。
【００５７】
それに続く２つ目の過程として、有機化合物１３１のＳＡが、ゲスト材料１３３のＳＧよりも高い場合、図２（Ｂ）のルートＥ１に示すように、有機化合物１３１のＳＡからゲスト材料１３３のＳＧに励起エネルギーが移動し、ゲスト材料１３３が一重項励起状態となる。一重項励起状態となったゲスト材料１３３からは蛍光発光が得られる。
【００５８】
上述の１つ目の過程及び２つ目の過程は、下記一般式（Ｇ２）で表される。
【００５９】
３Ａ＊＋１Ｇ  →（逆項間交差）→１Ａ＊＋１Ｇ→１Ａ＋１Ｇ＊  （Ｇ２）
【００６０】
なお、一般式（Ｇ２）中、３Ａ＊は有機化合物１３１の三重項励起状態を表し、１Ａ＊および１Ｇ＊は、それぞれ有機化合物１３１およびゲスト材料１３３の一重項励起状態を表し、１Ａおよび１Ｇは、それぞれ有機化合物１３１およびゲスト材料１３３の一重項基底状態を表す。
【００６１】
一般式（Ｇ２）に示すように、熱活性化遅延蛍光体である有機化合物１３１の三重項励起状態（３Ａ＊）から、逆項間交差によって有機化合物１３１の一重項励起状態（１Ａ＊）が生成され、その後、ゲスト材料１３３の一重項励起状態（１Ｇ＊）へ励起エネルギーが移動する。
【００６２】
上述の（β）熱活性化遅延蛍光体からのエネルギー移動過程で述べた全てのエネルギー移動過程が効率よく生じれば、有機化合物１３１の三重項励起エネルギー及び一重項励起エネルギーの双方が効率よくゲスト材料１３３の一重項励起状態（１Ｇ＊）に変換されるため、高効率な発光が可能となる。
【００６３】
ただし、有機化合物１３１の一重項励起状態からゲスト材料１３３の一重項励起状態に励起エネルギーが移動する前に、有機化合物１３１が当該励起エネルギーを光または熱として放出して失活してしまうと、発光効率が低下することになる。また、それ以前の過程として、有機化合物１３１において三重項励起状態から一重項励起状態に逆項間交差するルートＡ１の過程の効率が落ちてしまうと、やはり発光効率が低下することになる。特に、有機化合物１３１のＴＡが、ゲスト材料１３３のＴＧよりも低い場合は、ＳＡ≧ＳＧ＞ＴＧ＞ＴＡとなるため、ＴＡとＳＡのエネルギー差が大きくなってしまう。その結果、図２（Ｂ）のルートＡ１の逆項間交差が生じにくくなるため、それに続くルートＥ１に示すエネルギー移動過程の効率も減少し、ゲスト材料１３３の一重項励起状態の生成効率が低下する。したがって、有機化合物１３１のＴＡは、ゲスト材料１３３のＴＧよりも高いことが好ましい。すなわち、有機化合物１３１の熱活性化遅延蛍光の発光エネルギーは、ゲスト材料１３３の燐光発光エネルギーよりも高いことが好ましい。
【００６４】
この時、図２（Ｂ）のルートＥ２に示すように、有機化合物１３１のＴＡからゲスト材料１３３のＴＧに励起エネルギーが移動する場合も、励起エネルギーが熱失活する。したがって、図２（Ｂ）のルートＥ２に示すエネルギー移動過程が少ない方が、ゲスト材料１３３の三重項励起状態の生成効率を低減することができ、励起エネルギーの熱失活を減少させることができるため好ましい。そのためには、有機化合物１３１とゲスト材料１３３の重量比は、ゲスト材料１３３の重量比が低い方が好ましい。具体的には、有機化合物１３１とゲスト材料１３３の重量比（有機化合物１３１：ゲスト材料１３３）としては、好ましくは、１：０．００１から１：０．０５であり、より好ましくは、１：０．００１から１：０．０１である。
【００６５】
なお、ゲスト材料１３３における直接再結合過程が支配的になると、発光層内でゲスト材料１３３の三重項励起状態が多数生成することになり、励起エネルギーが熱失活することにより発光効率を損ねてしまう。つまり、上述の（α）ゲスト材料における直接再結合過程よりも（β）熱活性化遅延蛍光体からのエネルギー移動過程の割合が多い方が、ゲスト材料１３３の三重項励起状態の生成効率を低減することができ、励起エネルギーの熱失活を減少させることができるため好ましい。そのためには、やはり有機化合物１３１とゲスト材料１３３の重量比は、ゲスト材料１３３の重量比が低い方が好ましく、具体的には、有機化合物１３１とゲスト材料１３３の重量比（有機化合物１３１：ゲスト材料１３３）としては、好ましくは、１：０．００１から１：０．０５であり、より好ましくは、１：０．００１から１：０．０１である。
【００６６】
≪（γ）ホスト材料からのエネルギー移動過程≫
次に、有機化合物１３２から、有機化合物１３１またはゲスト材料１３３へのエネルギー移動過程を説明するために、図２（Ｃ）にエネルギー準位の相関を説明する模式図を示す。なお、図２（Ｃ）における表記及び符号は、図２（Ａ）と同様である。
【００６７】
キャリアが、有機化合物１３２において再結合すると、有機化合物１３２の励起状態が形成される。この時、有機化合物１３２の励起状態が一重項励起状態であり、有機化合物１３２のＳＨが、有機化合物１３１のＳＡ及びゲスト材料１３３のＳＧよりも高い場合、有機化合物１３２のＳＨから、ゲスト材料１３３のＳＧへ一重項励起エネルギーが移動する。または、有機化合物１３２のＳＨから有機化合物１３１のＳＡに移動した一重項励起エネルギーは、上述の（β）熱活性化遅延蛍光体からのエネルギー移動過程を経ることで、ゲスト材料１３３のＳＧにエネルギー移動する。一重項励起状態となったゲスト材料１３３は、蛍光発光する。なお、本実施の形態においては、有機化合物１３２をホスト材料として説明する。
【００６８】
なお、有機化合物１３２の一重項励起状態からゲスト材料１３３の三重項励起状態へのエネルギー移動は、ゲスト材料１３３における一重項基底状態から三重項励起状態への直接遷移が禁制であることから、主たるエネルギー移動過程になりにくいため、ここでは説明を省略する。つまり、下記一般式（Ｇ３）または（Ｇ４）の通り、有機化合物１３２の一重項励起状態から、ゲスト材料１３３の一重項励起状態へのエネルギー移動が可能である。
【００６９】
１Ｈ＊＋１Ａ＋１Ｇ  →  １Ｈ＋１Ａ＋１Ｇ＊  （Ｇ３）
【００７０】
１Ｈ＊＋１Ａ＋１Ｇ  →  １Ｈ＋１Ａ＊＋１Ｇ  →  １Ｈ＋１Ａ＋１Ｇ＊  （Ｇ４）
【００７１】
なお、一般式（Ｇ３）または（Ｇ４）中、１Ｈ＊、１Ａ＊、及び１Ｇ＊は、それぞれ有機化合物１３２、有機化合物１３１、及びゲスト材料１３３の一重項励起状態を表し、１Ｈ、１Ａ、及び１Ｇは、それぞれ有機化合物１３２、有機化合物１３１、及びゲスト材料１３３の一重項基底状態を表す。
【００７２】
一方、有機化合物１３２の励起状態が生成し、それが三重項励起状態である場合、有機化合物１３２のＴＨが有機化合物１３１のＴＡより高く、有機化合物１３１のＳＡが、ゲスト材料１３３のＳＧよりも高い場合、下記の過程を辿って蛍光発光が得られる。
【００７３】
まず、有機化合物１３２のＴＨから、有機化合物１３１のＴＡへエネルギー移動する。
【００７４】
それに続く過程としては、上述した（β）熱活性化遅延蛍光体からのエネルギー移動過程で説明したように、熱活性化遅延蛍光体である有機化合物１３１における逆項間交差（ルートＡ１）を経て、有機化合物１３１のＳＡからゲスト材料１３３のＳＧへエネルギー移動し、一重項励起状態となったゲスト材料１３３から蛍光発光が得られる。
【００７５】
すなわち、上述のエネルギー移動過程は、下記一般式（Ｇ５）で表される。
【００７６】
３Ｈ＊＋１Ａ＋１Ｇ  →  １Ｈ＋３Ａ＊＋１Ｇ  →  （逆項間交差）  →  １Ｈ＋１Ａ＊＋１Ｇ  
→１Ｈ＋１Ａ＋１Ｇ＊  （Ｇ５）
【００７７】
なお、一般式（Ｇ５）中、３Ｈ＊および３Ａ＊は、それぞれ有機化合物１３２および有機化合物１３１の三重項励起状態を表し、１Ａ＊、及び１Ｇ＊は、それぞれ有機化合物１３１、及びゲスト材料１３３の一重項励起状態を表し、１Ｈ、１Ａ、及び１Ｇは、それぞれ有機化合物１３２、有機化合物１３１、及びゲスト材料１３３の一重項基底状態を表す。
【００７８】
一般式（Ｇ５）に示すように、有機化合物１３２の三重項励起状態（３Ｈ＊）から有機化合物１３１の三重項励起状態（３Ａ＊）が生成し、その後すみやかに逆項間交差によって有機化合物１３１の一重項励起状態（１Ａ＊）が生成し、その後、ゲスト材料１３３の一重項励起状態（１Ｇ＊）へエネルギー移動する。
【００７９】
上述の（γ）ホスト材料からのエネルギー移動過程で述べた全てのエネルギー移動過程が効率よく生じれば、有機化合物１３２の三重項励起エネルギー及び一重項励起エネルギーの双方が効率よくゲスト材料１３３の一重項励起状態（１Ｇ＊）に変換されるため、ゲスト材料１３３からの発光が可能となる。
【００８０】
しかしながら、有機化合物１３２の一重項励起状態からゲスト材料１３３の一重項励起状態に励起エネルギーが移動する前に、有機化合物１３２が当該励起エネルギーを光または熱として放出して失活してしまうと、発光効率が低下することになる。また、それ以前の過程として、有機化合物１３１において、三重項励起状態から一重項励起状態に逆項間交差するルートＡ１の過程の効率が落ちてしまうと、やはり発光効率が低下することになる。特に、有機化合物１３２のＴＨが、有機化合物１３１のＴＡよりも低い場合は、有機化合物１３２のＴＨから有機化合物１３１のＴＡへのエネルギー移動過程が生じにくくなり、有機化合物１３１における逆項間交差が生じないため、ゲスト材料１３３の一重項励起状態の生成効率が低下する。したがって、有機化合物１３２のＴＨは有機化合物１３１のＴＡよりも高いことが好ましい。
【００８１】
また、図２（Ｃ）のルートＥ３に示すように、有機化合物１３２のＴＨからゲスト材料１３３のＴＧに励起エネルギーが移動した場合も、励起エネルギーが熱失活する。したがって、図２（Ｃ）のルートＥ３に示すエネルギー移動過程が少ない方が、ゲスト材料１３３の三重項励起状態の生成効率を低減することができ、熱失活を減少させることができるため好ましい。そのためには、有機化合物１３２とゲスト材料１３３の重量比は、ゲスト材料１３３の重量比が低い方が好ましい。具体的には、有機化合物１３２とゲスト材料１３３の重量比（有機化合物１３２：ゲスト材料１３３）としては、好ましくは、１：０．００１から１：０．０５であり、より好ましくは、１：０．００１から１：０．０１である。
【００８２】
以上のように、上述の（γ）ホスト材料からのエネルギー移動過程において、励起エネルギーの一部はゲスト材料１３３の蛍光発光に変換されるが、図２（Ｃ）のルートＥ２およびＥ３の過程による熱失活が生じる可能性がある。したがって、（γ）ホスト材料からのエネルギー移動過程、および（α）ゲスト材料における直接再結合過程よりも、（β）熱活性化遅延蛍光体からのエネルギー移動過程の割合が、多い方が、発光層１２０における三重項励起状態の生成効率を低減することができる。すなわち、熱失活を減少させることができ、発光素子１５０の発光効率を高めることができるため、好ましい。（β）熱活性化遅延蛍光体からのエネルギー移動過程の割合を多くするためには、熱活性化遅延蛍光体である有機化合物１３１において、キャリアの再結合が生じることが重要である。
【００８３】
≪キャリアの再結合≫
有機化合物１３１において、キャリアの再結合が生じるためには、有機化合物１３１と有機化合物１３２との、エネルギー準位の関係性が重要である。特に、最高被占軌道（Ｈｉｇｈｅｓｔ  Ｏｃｃｕｐｉｅｄ  Ｍｏｌｅｃｕｌａｒ  Ｏｒｂｉｔａｌ、ＨＯＭＯともいう）と、最低空軌道（Ｌｏｗｅｓｔ  Ｕｎｏｃｃｕｐｉｅｄ  Ｍｏｌｅｃｕｌａｒ  Ｏｒｂｉｔａｌ、ＬＵＭＯともいう）とのエネルギー準位の関係性、または酸化電位と還元電位との関係性、が重要となる。
【００８４】
一対の電極からＥＬ層１００にキャリアが注入され発光層１２０に至った時、発光層１２０を構成する物質にキャリアが注入される。このとき、より安定なＨＯＭＯに正孔が、より安定なＬＵＭＯに電子が入り易い。したがって、熱活性化遅延蛍光体である有機化合物１３１において、キャリアの再結合が生じるためには、有機化合物１３１のＨＯＭＯは、有機化合物１３２のＨＯＭＯ以上のエネルギー準位を有し、有機化合物１３１のＬＵＭＯは、有機化合物１３２のＬＵＭＯ以下のエネルギー準位を有することが重要である。または、有機化合物１３１の酸化電位は、有機化合物１３２の酸化電位以下であり、有機化合物１３１の還元電位は、有機化合物１３２の還元電位以上であることが重要である。
【００８５】
また、上記の構成とすることで、有機化合物１３１と有機化合物１３２との間で、励起錯体を形成しにくい構成とすることができる。
【００８６】
また、発光層１２０において有機化合物１３１の分子同士が隣接すると、キャリアが有機化合物１３１の分子間を移動しやすくなるが、その場合、発光層１２０以外の機能層（例えば、正孔輸送層１１２及び電子輸送層１１８）へキャリアが移動しやすくなる場合がある。したがって、発光層１２０中の有機化合物１３１において、キャリアの再結合が生じるためには、有機化合物１３２と有機化合物１３１の重量比は、有機化合物１３１の重量比が低い方が好ましい。また、有機化合物１３１の励起状態分子と、基底状態分子と、の間のエネルギー移動を抑制するためにも、有機化合物１３２と有機化合物１３１の重量比は、有機化合物１３１の重量比が低い方が好ましい。一方、有機化合物１３１と、ゲスト材料１３３と、の分子同士が隣接すると、有機化合物１３１の三重項励起状態からゲスト材料１３３の三重項励起状態へ、エネルギー移動する可能性が生じる。したがって、当該エネルギー移動を抑制するためにも有機化合物１３２と有機化合物１３１の重量比は、有機化合物１３１の重量比が低い方が好ましい。具体的には、有機化合物１３２と有機化合物１３１の重量比（有機化合物１３２：有機化合物１３１）としては、１：０．０５から１：０．５が好適である。
【００８７】
＜３．エネルギー移動機構＞
次に、上述した有機化合物１３１または有機化合物１３２と、ゲスト材料１３３との分子間のエネルギー移動過程の支配因子について説明する。分子間のエネルギー移動の機構としては、フェルスター機構（双極子−双極子相互作用）と、デクスター機構（電子交換相互作用）の２つの機構が提唱されている。なお、ここでは、有機化合物１３１とゲスト材料１３３との分子間のエネルギー移動過程について、説明をするが、有機化合物１３２とゲスト材料１３３との分子間のエネルギー移動過程についても、同様である。
【００８８】
≪フェルスター機構≫
フェルスター機構では、エネルギー移動に、分子間の直接的接触を必要とせず、有機化合物１３１及びゲスト材料１３３間の双極子振動の共鳴現象を通じてエネルギー移動が起こる。双極子振動の共鳴現象によって有機化合物１３１がゲスト材料１３３にエネルギーを受け渡し、励起状態の有機化合物１３１が基底状態になり、基底状態のゲスト材料１３３が励起状態になる。なお、フェルスター機構の速度定数ｋｈ＊→ｇを数式（１）に示す。
【００８９】
【数１】
0006785544.tif 000002
【００９０】
数式（１）において、νは、振動数を表し、ｆ’ｈ（ν）は、有機化合物１３１の規格化された発光スペクトル（一重項励起状態からのエネルギー移動を論じる場合は蛍光スペクトル、三重項励起状態からのエネルギー移動を論じる場合は燐光スペクトル）を表し、εｇ（ν）は、ゲスト材料１３３のモル吸光係数を表し、Ｎは、アボガドロ数を表し、ｎは、媒体の屈折率を表し、Ｒは、有機化合物１３１とゲスト材料１３３の分子間距離を表し、τは、実測される励起状態の寿命（蛍光寿命や燐光寿命）を表し、ｃは、光速を表し、φは、発光量子収率（一重項励起状態からのエネルギー移動を論じる場合は蛍光量子収率、三重項励起状態からのエネルギー移動を論じる場合は燐光量子収率）を表し、Ｋ２は、有機化合物１３１とゲスト材料１３３の遷移双極子モーメントの配向を表す係数（０から４）である。なお、ランダム配向の場合はＫ２＝２／３である。
【００９１】
≪デクスター機構≫
デクスター機構では、有機化合物１３１とゲスト材料１３３が軌道の重なりを生じる接触有効距離に近づき、励起状態の有機化合物１３１の電子と、基底状態のゲスト材料１３３との電子の交換を通じてエネルギー移動が起こる。なお、デクスター機構の速度定数ｋｈ＊→ｇを数式（２）に示す。
【００９２】
【数２】
0006785544.tif 000003
【００９３】
数式（２）において、ｈは、プランク定数であり、Ｋは、エネルギーの次元を持つ定数であり、νは、振動数を表し、ｆ’ｈ（ν）は、有機化合物１３１の規格化された発光スペクトル（一重項励起状態からのエネルギー移動を論じる場合は蛍光スペクトル、三重項励起状態からのエネルギー移動を論じる場合は燐光スペクトル）を表し、ε’ｇ（ν）は、ゲスト材料１３３の規格化された吸収スペクトルを表し、Ｌは、実効分子半径を表し、Ｒは、有機化合物１３１とゲスト材料１３３の分子間距離を表す。
【００９４】
ここで、有機化合物１３１からゲスト材料１３３へのエネルギー移動効率φＥＴは、数式（３）で表される。ｋｒは、有機化合物１３１の発光過程（一重項励起状態からのエネルギー移動を論じる場合は蛍光、三重項励起状態からのエネルギー移動を論じる場合は燐光）の速度定数を表し、ｋｎは、有機化合物１３１の非発光過程（熱失活や項間交差）の速度定数を表し、τは、実測される有機化合物１３１の励起状態の寿命を表す。
【００９５】
【数３】
0006785544.tif 000004
【００９６】
数式（３）より、エネルギー移動効率φＥＴを高くするためには、エネルギー移動の速度定数ｋｈ＊→ｇを大きくし、他の競合する速度定数ｋｒ＋ｋｎ（＝１／τ）が相対的に小さくなれば良いことがわかる。
【００９７】
≪エネルギー移動を高めるための概念≫
上述の一般式（Ｇ１）及び一般式（Ｇ２）のエネルギー移動過程のいずれにおいても、有機化合物１３１の一重項励起状態（１Ａ＊）からゲスト材料１３３の一重項励起状態（１Ｇ＊）へのエネルギー移動であるため、フェルスター機構（数式（１））及びデクスター機構（数式（２））の両方の機構によるエネルギー移動が生じる。
【００９８】
まず、フェルスター機構によるエネルギー移動を考える。数式（１）と数式（３）からτを消去すると、エネルギー移動効率φＥＴは、量子収率φ（一重項励起状態からのエネルギー移動を論じているので、蛍光量子収率）が高い方が良いと言える。しかし実際は、さらに重要なファクターとして、有機化合物１３１の発光スペクトル（一重項励起状態からのエネルギー移動を論じているので蛍光スペクトル）とゲスト材料１３３の吸収スペクトル（一重項基底状態から一重項励起状態への遷移に相当する吸収）との重なりが大きいことが好ましい。なお、ゲスト材料１３３のモル吸光係数も高い方が好ましい。このことは、有機化合物１３１の発光スペクトルと、ゲスト材料１３３の最も長波長側に現れる吸収帯とが重なることを意味する。
【００９９】
次に、デクスター機構によるエネルギー移動を考える。数式（２）によれば、速度定数ｋｈ＊→ｇを大きくするには有機化合物１３１の発光スペクトル（一重項励起状態からのエネルギー移動を論じているので蛍光スペクトル）とゲスト材料１３３の吸収スペクトル（一重項基底状態から一重項励起状態への遷移に相当する吸収）との重なりが大きい方が良いことがわかる。
【０１００】
以上のことから、エネルギー移動効率の最適化は、有機化合物１３１の発光スペクトルと、ゲスト材料１３３の最も長波長側に現れる吸収帯とが重なることによって実現される。
【０１０１】
そこで、本発明の一態様は、ゲスト材料１３３に効率的にエネルギー移動が可能なエネルギードナーとしての機能を有する、有機化合物１３１を用いた発光素子を提供する。有機化合物１３１は、熱活性化遅延蛍光体であるため、一重項励起エネルギー準位と、三重項励起エネルギー準位とが近接しているという特徴を有する。具体的には、有機化合物１３１の一重項励起エネルギー準位と三重項励起エネルギー準位との差が０ｅＶを超えて０．２ｅＶ以下であると好ましい。上記構成とすることで、有機化合物１３１の三重項励起状態から一重項励起状態への遷移（逆項間交差）が起こりやすい。したがって、有機化合物１３１の一重項励起状態の生成効率を高めることができる。さらに、有機化合物１３１の一重項励起状態からエネルギーアクセプターとなるゲスト材料１３３の一重項励起状態へのエネルギー移動を生じやすくするためには、有機化合物１３１の発光スペクトルと、ゲスト材料１３３の最も長波長側に現れる吸収帯と、が重なると好ましい。そうすることで、ゲスト材料１３３の一重項励起状態の生成効率を高めることができる。
【０１０２】
また、本発明の一態様の発光素子１５０においては、有機化合物１３１のＨＯＭＯが有機化合物１３２のＨＯＭＯ以上のエネルギー準位を有し、有機化合物１３１のＬＵＭＯは有機化合物１３２のＬＵＭＯ以下のエネルギー準位を有する、または、有機化合物１３１の酸化電位は、有機化合物１３２の酸化電位以下であり、有機化合物１３１の還元電位は、有機化合物１３２の還元電位以上であるため、ＥＬ層１００に注入されたキャリアが効率よく有機化合物１３１にて再結合することができる。そのため、熱失活が少なく、発光効率を高めることができる。
【０１０３】
＜４．材料＞
次に、本発明の一態様に係わる発光素子の構成要素の詳細について、以下説明を行う。
【０１０４】
≪発光層≫
発光層１２０において、有機化合物１３１は一種の材料から構成される。なお、有機化合物１３１以外に、同様の機能を有する他の化合物がさらに発光層１２０に含まれていても良い。例えば、有機化合物１３１が、一種の材料から構成される場合、以下の材料を用いることができる。
【０１０５】
まずフラーレンやその誘導体、プロフラビン等のアクリジン誘導体、エオシン等が挙げられる。またマグネシウム（Ｍｇ）、亜鉛（Ｚｎ）、カドミウム（Ｃｄ）、スズ（Ｓｎ）、白金（Ｐｔ）、インジウム（Ｉｎ）、もしくはパラジウム（Ｐｄ）等を含む金属含有ポルフィリンが挙げられる。該金属含有ポルフィリンとしては、例えば、以下の構造式に示されるプロトポルフィリン−フッ化スズ錯体（ＳｎＦ２（Ｐｒｏｔｏ  ＩＸ））、メソポルフィリン−フッ化スズ錯体（ＳｎＦ２（Ｍｅｓｏ  ＩＸ））、ヘマトポルフィリン−フッ化スズ錯体（ＳｎＦ２（Ｈｅｍａｔｏ  ＩＸ））、コプロポルフィリンテトラメチルエステル−フッ化スズ錯体（ＳｎＦ２（Ｃｏｐｒｏ  ＩＩＩ−４Ｍｅ））、オクタエチルポルフィリン−フッ化スズ錯体（ＳｎＦ２（ＯＥＰ））、エチオポルフィリン−フッ化スズ錯体（ＳｎＦ２（Ｅｔｉｏ  Ｉ））、オクタエチルポルフィリン−塩化白金錯体（ＰｔＣｌ２ＯＥＰ）等が挙げられる。
【０１０６】
【化１】
0006785544.tif 000005
【０１０７】
また、有機化合物１３１としては、以下の構造式に示される２−（ビフェニル−４−イル）−４，６−ビス（１２−フェニルインドロ［２，３−ａ］カルバゾール−１１−イル）−１，３，５−トリアジン（略称：ＰＩＣ−ＴＲＺ）、２−｛４−［３−（Ｎ−フェニル−９Ｈ−カルバゾール−３−イル）−９Ｈ−カルバゾール−９−イル］フェニル｝−４，６−ジフェニル−１，３，５−トリアジン（略称：ＰＣＣｚＰＴｚｎ）、２−［４−（１０Ｈ−フェノキサジン−１０−イル）フェニル］−４，６−ジフェニル−１，３，５−トリアジン（略称：ＰＸＺ−ＴＲＺ）、３−［４−（５−フェニル−５，１０−ジヒドロフェナジン−１０−イル）フェニル］−４，５−ジフェニル−１，２，４−トリアゾール（略称：ＰＰＺ−３ＴＰＴ）、３−（９，９−ジメチル−９Ｈ−アクリジン−１０−イル）−９Ｈ−キサンテン−９−オン（略称：ＡＣＲＸＴＮ）、ビス［４−（９，９−ジメチル−９，１０−ジヒドロアクリジン）フェニル］スルホン（略称：ＤＭＡＣ−ＤＰＳ）、１０−フェニル−１０Ｈ，１０’Ｈ−スピロ［アクリジン−９，９’−アントラセン］−１０’−オン（略称：ＡＣＲＳＡ）、等のπ電子過剰型複素芳香環及びπ電子不足型複素芳香環を有する複素環化合物も用いることができる。該複素環化合物は、π電子過剰型複素芳香環及びπ電子不足型複素芳香環を有するため、電子輸送性及び正孔輸送性が高く、好ましい。中でも、π電子不足型複素芳香環を有する骨格のうち、ジアジン骨格（ピリミジン骨格、ピラジン骨格、ピリダジン骨格）、またはトリアジン骨格は、安定で信頼性が良好なため、特に好ましい。また、π電子過剰型複素芳香環を有する骨格の中でも、アクリジン骨格、フェノキサジン骨格、または３−（９−フェニル−９Ｈ−カルバゾール−３−イル）−９Ｈ−カルバゾール骨格、は、安定で信頼性が良好なため、当該骨格の中から選ばれるいずれか一つまたは複数を有することが、特に好ましい。なお、π電子過剰型複素芳香環とπ電子不足型複素芳香環とが直接結合した物質は、π電子過剰型複素芳香環のドナー性とπ電子不足型複素芳香環のアクセプター性が共に強く、一重項励起状態の準位と三重項励起状態の準位の差が小さくなるため、特に好ましい。
【０１０８】
【化２】
0006785544.tif 000006
【０１０９】
また、発光層１２０において、有機化合物１３２としては、例えば以下の化合物を用いることができる。有機化合物１３２は、発光層１２０においてホスト材料として機能するため、電子を受け取り易い骨格（電子輸送性を有する骨格）と、ホールを受け取り易い骨格（正孔輸送性を有する骨格）と、のいずれか一方または両方を有していることが好ましい。
【０１１０】
電子を受け取り易い骨格（電子輸送性を有する骨格）を有する化合物としては、π電子不足型複素芳香族骨格を有する化合物や金属錯体などを用いることができる。具体的には、ビス（１０−ヒドロキシベンゾ［ｈ］キノリナト）ベリリウム（ＩＩ）（略称：ＢｅＢｑ２）、ビス（２−メチル−８−キノリノラト）（４−フェニルフェノラト）アルミニウム（ＩＩＩ）（略称：ＢＡｌｑ）、ビス（８−キノリノラト）亜鉛（ＩＩ）（略称：Ｚｎｑ）、ビス［２−（２−ベンゾオキサゾリル）フェノラト］亜鉛（ＩＩ）（略称：ＺｎＰＢＯ）、ビス［２−（２−ベンゾチアゾリル）フェノラト］亜鉛（ＩＩ）（略称：ＺｎＢＴＺ）などの金属錯体や、２−（４−ビフェニリル）−５−（４−ｔｅｒｔ−ブチルフェニル）−１，３，４−オキサジアゾール（略称：ＰＢＤ）、３−（４−ビフェニリル）−４−フェニル−５−（４−ｔｅｒｔ−ブチルフェニル）−１，２，４−トリアゾール（略称：ＴＡＺ）、９−［４−（４，５−ジフェニル−４Ｈ−１，２，４−トリアゾール−３−イル）フェニル］−９Ｈ−カルバゾール（略称：ＣｚＴＡＺ１）、１，３−ビス［５−（ｐ−ｔｅｒｔ−ブチルフェニル）−１，３，４−オキサジアゾール−２−イル］ベンゼン（略称：ＯＸＤ−７）、９−［４−（５−フェニル−１，３，４−オキサジアゾール−２−イル）フェニル］−９Ｈ−カルバゾール（略称：ＣＯ１１）、２，２’，２’’−（１，３，５−ベンゼントリイル）トリス（１−フェニル−１Ｈ−ベンゾイミダゾール）（略称：ＴＰＢＩ）、２−［３−（ジベンゾチオフェン−４−イル）フェニル］−１−フェニル−１Ｈ−ベンゾイミダゾール（略称：ｍＤＢＴＢＩｍ−ＩＩ）などのアゾール骨格を有する複素環化合物や、２−［３−（ジベンゾチオフェン−４−イル）フェニル］ジベンゾ［ｆ，ｈ］キノキサリン（略称：２ｍＤＢＴＰＤＢｑ−ＩＩ）、２−［３’−（ジベンゾチオフェン−４−イル）ビフェニル−３−イル］ジベンゾ［ｆ、ｈ］キノキサリン（略称：２ｍＤＢＴＢＰＤＢｑ−ＩＩ）、２−［３’−（９Ｈ−カルバゾール−９−イル）ビフェニル−３−イル］ジベンゾ［ｆ、ｈ］キノキサリン（略称：２ｍＣｚＢＰＤＢｑ）、２−［３−（３，９’−ビ−９Ｈ−カルバゾール−９−イル）フェニル］ジベンゾ［ｆ，ｈ］キノキサリン（略称：２ｍＣｚＣｚＰＤＢｑ）、４，６−ビス［３−（９Ｈ−カルバゾール−９−イル）フェニル］ピリミジン（略称：４，６ｍＣｚＰ２Ｐｍ）、４，６−ビス［３−（フェナントレン−９−イル）フェニル］ピリミジン（略称：４，６ｍＰｎＰ２Ｐｍ）、４，６−ビス［３−（４−ジベンゾチエニル）フェニル］ピリミジン（略称：４，６ｍＤＢＴＰ２Ｐｍ−ＩＩ）などのジアジン骨格を有する複素環化合物や、ＰＣＣｚＰＴｚｎなどのトリアジン骨格を有する複素環化合物や、３，５−ビス［３−（９Ｈ−カルバゾール−９−イル）フェニル］ピリジン（略称：３５ＤＣｚＰＰｙ）、１，３，５−トリ［３−（３−ピリジル）フェニル］ベンゼン（略称：ＴｍＰｙＰＢ）などのピリジン骨格を有する複素環化合物が挙げられる。上述した複素環化合物の中でも、ジアジン（ピリミジン、ピラジン、ピリダジン）骨格、またはピリジン骨格を有する複素環化合物は、安定で信頼性が���好であり好ましい。また、当該骨格を有する複素環化合物は、電子輸送性が高く、駆動電圧低減にも寄与する。
【０１１１】
正孔を受け取りやすい骨格（正孔輸送性を有する骨格）を有する化合物としては、π電子過剰型複素芳香族骨格又は芳香族アミン骨格などを有する化合物を好適に用いることができる。具体的には、２−［Ｎ−（９−フェニルカルバゾール−３−イル）−Ｎ−フェニルアミノ］スピロ−９，９’−ビフルオレン（略称：ＰＣＡＳＦ）、４，４’−ビス［Ｎ−（１−ナフチル）−Ｎ−フェニルアミノ］ビフェニル（略称：ＮＰＢ）、Ｎ，Ｎ’−ビス（３−メチルフェニル）−Ｎ，Ｎ’−ジフェニル−［１，１’−ビフェニル］−４，４’−ジアミン（略称：ＴＰＤ）、４，４’−ビス［Ｎ−（スピロ−９，９’−ビフルオレン−２−イル）−Ｎ―フェニルアミノ］ビフェニル（略称：ＢＳＰＢ）、４−フェニル−４’−（９−フェニルフルオレン−９−イル）トリフェニルアミン（略称：ＢＰＡＦＬＰ）、４−フェニル−３’−（９−フェニルフルオレン−９−イル）トリフェニルアミン（略称：ｍＢＰＡＦＬＰ）、４−フェニル−４’−（９−フェニル−９Ｈ−カルバゾール−３−イル）トリフェニルアミン（略称：ＰＣＢＡ１ＢＰ）、４，４’−ジフェニル−４’’−（９−フェニル−９Ｈ−カルバゾール−３−イル）トリフェニルアミン（略称：ＰＣＢＢｉ１ＢＰ）、４−（１−ナフチル）−４’−（９−フェニル−９Ｈ−カルバゾール−３−イル）トリフェニルアミン（略称：ＰＣＢＡＮＢ）、４，４’−ジ（１−ナフチル）−４’’−（９−フェニル−９Ｈ−カルバゾール−３−イル）トリフェニルアミン（略称：ＰＣＢＮＢＢ）、９，９−ジメチル−Ｎ−フェニル−Ｎ−［４−（９−フェニル−９Ｈ−カルバゾール−３−イル）フェニル］フルオレン−２−アミン（略称：ＰＣＢＡＦ）、Ｎ−フェニル−Ｎ−［４−（９−フェニル−９Ｈ−カルバゾール−３−イル）フェニル］スピロ−９，９’−ビフルオレン−２−アミン（略称：ＰＣＢＡＳＦ）、Ｎ−（１，１’−ビフェニル−４−イル）−Ｎ−［４−（９−フェニル−９Ｈ−カルバゾール−３−イル）フェニル］−９，９−ジメチル−９Ｈ−フルオレン−２−アミン（略称：ＰＣＢＢｉＦ）などの芳香族アミン骨格を有する化合物や、１，３−ビス（Ｎ−カルバゾリル）ベンゼン（略称：ｍＣＰ）、４，４’−ジ（Ｎ−カルバゾリル）ビフェニル（略称：ＣＢＰ）、３，６−ビス（３，５−ジフェニルフェニル）−９−フェニルカルバゾール（略称：ＣｚＴＰ）、３，６−ジ（９Ｈ−カルバゾール−９−イル）−９−フェニル−９Ｈ−カルバゾール（略称：ＰｈＣｚＧＩ）、２，８−ジ（９Ｈ−カルバゾール−９−イル）−ジベンゾチオフェン（略称：Ｃｚ２ＤＢＴ）、９−フェニル−９Ｈ−３−（９−フェニル−９Ｈ−カルバゾール−３−イル）カルバゾール（略称：ＰＣＣＰ）などのカルバゾール骨格を有する化合物や、４，４’，４’’−（ベンゼン−１，３，５−トリイル）トリ（ジベンゾチオフェン）（略称：ＤＢＴ３Ｐ−ＩＩ）、２，８−ジフェニル−４−［４−（９−フェニル−９Ｈ−フルオレン−９−イル）フェニル］ジベンゾチオフェン（略称：ＤＢＴＦＬＰ−ＩＩＩ）、４−［４−（９−フェニル−９Ｈ−フルオレン−９−イル）フェニル］−６−フェニルジベンゾチオフェン（略称：ＤＢＴＦＬＰ−ＩＶ）などのチオフェン骨格を有する化合物���、４，４’，４’’−（ベンゼン−１，３，５−トリイル）トリ（ジベンゾフラン）（略称：ＤＢＦ３Ｐ−ＩＩ）、４−｛３−［３−（９−フェニル−９Ｈ−フルオレン−９−イル）フェニル］フェニル｝ジベンゾフラン（略称：ｍｍＤＢＦＦＬＢｉ−ＩＩ）などのフラン骨格を有する化合物が挙げられる。上述した中でも、フラン骨格、チオフェン骨格、フルオレン骨格、ピロール骨格を有する化合物は、安定で信頼性が良好であり、また、正孔輸送性が高く、駆動電圧低減にも寄与するため好ましい。
【０１１２】
また、上述した化合物の中でも特に、π電子不足型複素芳香族骨格としてピリジン骨格またはジアジン骨格（ピリミジン骨格、ピラジン骨格、ピリダジン骨格）を有し、π電子過剰型複素芳香族骨格としてフラン骨格、チオフェン骨格、フルオレン骨格、ピロール骨格、の中から選ばれるいずれか一つまたは複数を有する化合物は、キャリア輸送性が高いため、駆動電圧低減にも寄与する。また、当該骨格を有する化合物は、信頼性が良好であり好ましい。なお、ピロール骨格としては、インドール骨格、カルバゾール骨格、または３−（９Ｈ−カルバゾール−９−イル）−９Ｈ−カルバゾール骨格、が特に好ましい。
【０１１３】
なお、有機化合物１３１及び有機化合物１３２は、上述した化合物に限定されることなく、有機化合物１３１のＨＯＭＯが有機化合物１３２のＨＯＭＯ以上のエネルギー準位を有し、有機化合物１３１のＬＵＭＯが有機化合物１３２のＬＵＭＯ以下のエネルギー準位を有する組み合わせであるか、もしくは、有機化合物１３１の酸化電位が有機化合物１３２の酸化電位以下であり、有機化合物１３１の還元電位が有機化合物１３２の還元電位以上である組み合わせであり、キャリアが輸送できれば良く、他の材料を用いても良い。また、有機化合物１３２に熱活性化遅延蛍光体を用いても良い。
【０１１４】
上記の有機化合物１３１及び有機化合物１３２に用いることができる化合物の一例について、それぞれの薄膜状態でのＨＯＭＯおよびＬＵＭＯのエネルギー準位の測定結果を表１に示す。また、溶液状態での酸化電位および還元電位の測定結果と、その結果から見積もったＨＯＭＯおよびＬＵＭＯのエネルギー準位を表２にそれぞれ示す。また、三重項励起エネルギー準位の測定結果を表３に示す。また、それら化合物の構造及び略称を以下に示す。
【０１１５】
【化３】
0006785544.tif 000007
【０１１６】
【表１】
0006785544.tif 000008
【０１１７】
【表２】
0006785544.tif 000009
【０１１８】
【表３】
0006785544.tif 000010
【０１１９】
薄膜状態でのＨＯＭＯのエネルギー準位は、各化合物のイオン化ポテンシャルの値を大気中にて光電子分光法（理研計器製、ＡＣ−３）にて測定し、得られたイオン化ポテンシャルの値を、負の値に換算した結果より求めた。また、各化合物の薄膜状態の吸収スペクトルを測定し、直接遷移を仮定したＴａｕｃプロットから吸収端を求めることで、固体状態の光学的バンドギャップを見積もった。見積もったバンドギャップのエネルギーと、先に得られたＨＯＭＯのエネルギー準位から、薄膜状態でのＬＵＭＯのエネルギー準位を算出した。
【０１２０】
また、各化合物の溶液状態における電気化学的特性（酸化反応特性、還元反応特性）をサイクリックボルタンメトリ（ＣＶ）測定によって測定した。なお測定には、電気化学アナライザー（ビー・エー・エス（株）製、型番：ＡＬＳモデル６００Ａまたは６００Ｃ）を用いた。測定では、参照電極に対する作用電極の電位を適切な範囲で変化させて各々酸化ピーク電位、還元ピーク電位を得た。また、参照電極のレドックスポテンシャルが−４．９４ｅＶであることが見積もられているため、この数値と得られたピーク電位から、各化合物のＨＯＭＯおよびＬＵＭＯのエネルギー準位を算出した。
【０１２１】
三重項励起エネルギー準位の測定は、各化合物の燐光発光測定より行った。測定には、顕微ＰＬ装置  ＬａｂＲＡＭ  ＨＲ−ＰＬ（（株）堀場製作所）を用い、測定温度は１０Ｋ、励起光としてＨｅ−Ｃｄレーザー（３２５ｎｍ）を用い、検出器にはＣＣＤ検出器を用いた。測定から得られた燐光スペクトルにおける最も短波長側のピークより、三重項励起エネルギー準位を求めた。
【０１２２】
表１および表２に一例として挙げたが、有機化合物１３１のＨＯＭＯが有機化合物１３２のＨＯＭＯ以上のエネルギー準位を有し、有機化合物１３１のＬＵＭＯが有機化合物１３２のＬＵＭＯ以下のエネルギー準位を有する組み合わせとなる化合物を用いる、もしくは、有機化合物１３１の酸化電位が有機化合物１３２の酸化電位以下であり、有機化合物１３１の還元電位が有機化合物１３２の還元電位以上である組み合わせとなる化合物を用いることで、ＥＬ層１００に注入されたキャリアが、有機化合物１３１において、効率よく再結合することができるため、発光効率の高い発光素子を提供することができる。
【０１２３】
また、表３に一例として挙げたが、有機化合物１３２の三重項励起エネルギー準位が有機化合物１３１の三重項励起エネルギー準位より高くなる組み合わせとなる化合物を用いることで、有機化合物１３２の三重項励起エネルギー準位から有機化合物１３１の三重項励起エネルギー準位へエネルギー移動が生じやすくなる。したがって、上述の（γ）ホスト材料からのエネルギー移動過程が生じやすくなり、発光効率の高い発光素子を提供することができる。
【０１２４】
発光層１２０において、ゲスト材料１３３（蛍光材料）としては、特に限定はないが、アントラセン誘導体、テトラセン誘導体、クリセン誘導体、フェナントレン誘導体、ピレン誘導体、ペリレン誘導体、スチルベン誘導体、アクリドン誘導体、クマリン誘導体、フェノキサジン誘導体、フェノチアジン誘導体などが好ましく、例えば以下の材料を用いることができる。
【０１２５】
具体的には、５，６−ビス［４−（１０−フェニル−９−アントリル）フェニル］−２，２’−ビピリジン（略称：ＰＡＰ２ＢＰｙ）、５，６−ビス［４’−（１０−フェニル−９−アントリル）ビフェニル−４−イル］−２，２’−ビピリジン（略称：ＰＡＰＰ２ＢＰｙ）、Ｎ，Ｎ’−ジフェニル−Ｎ，Ｎ’−ビス［４−（９−フェニル−９Ｈ−フルオレン−９−イル）フェニル］ピレン−１，６−ジアミン（略称：１，６ＦＬＰＡＰｒｎ）、Ｎ，Ｎ’−ビス（３−メチルフェニル）−Ｎ，Ｎ’−ビス［３−（９−フェニル−９Ｈ−フルオレン−９−イル）フェニル］ピレン−１，６−ジアミン（略称：１，６ｍＭｅｍＦＬＰＡＰｒｎ）、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）、４−（９Ｈ−カルバゾール−９−イル）−４’−（９，１０−ジフェニル−２−アントリル）トリフェニルアミン（略称：２ＹＧＡＰＰＡ）、Ｎ，９−ジフェニル−Ｎ−［４−（１０−フェニル−９−アントリル）フェニル］−９Ｈ−カルバゾール−３−アミン（略称：ＰＣＡＰＡ）、ペリレン、２，５，８，１１−テトラ（ｔｅｒｔ−ブチル）ペリレン（略称：ＴＢＰ）、４−（１０−フェニル−９−アントリル）−４’−（９−フェニル−９Ｈ−カルバゾール−３−イル）トリフェニルアミン（略称：ＰＣＢＡＰＡ）、Ｎ，Ｎ’’−（２−ｔｅｒｔ−ブチルアントラセン−９，１０−ジイルジ−４，１−フェニレン）ビス［Ｎ，Ｎ’，Ｎ’−トリフェニル−１，４−フェニレンジアミン］（略称：ＤＰＡＢＰＡ）、Ｎ，９−ジフェニル−Ｎ−［４−（９，１０−ジフェニル−２−アントリル）フェニル］−９Ｈ−カルバゾール−３−アミン（略称：２ＰＣＡＰＰＡ）、Ｎ−［４−（９，１０−ジフェニル−２−アントリル）フェニル］−Ｎ，Ｎ’，Ｎ’−トリフェニル−１，４−フェニレンジアミン（略称：２ＤＰＡＰＰＡ）、Ｎ，Ｎ，Ｎ’，Ｎ’，Ｎ’’，Ｎ’’，Ｎ’’’，Ｎ’’’−オクタフェニルジベンゾ［ｇ，ｐ］クリセン−２，７，１０，１５−テトラアミン（略称：ＤＢＣ１）、クマリン３０、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、９，１０−ビス（１，１’−ビフェニル−２−イル）−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）、クマリン６、クマリン５４５Ｔ、Ｎ，Ｎ’−ジフェニルキナクリドン（略称：ＤＰＱｄ）、５，６，１１，１２−テトラフェニルナフタセン（慣用名：ルブレン）、５，１２−ビス（１，１’−ビフェニル−４−イル）−６，１１−ジフェニルテトラセン（略称：ＢＰＴ）、２−（２−｛２−［４−（ジメチルアミノ）フェニル］エテニル｝−６−メチル−４Ｈ−ピラン−４−イリデン）プロパンジニトリル（略称：ＤＣＭ１）、２−｛２−メチル−６−［２−（２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＭ２）、Ｎ，Ｎ，Ｎ’，Ｎ’−テトラキス（４−メチルフェニル）テトラセン−５，１１−ジアミン（略称：ｐ−ｍＰｈＴＤ）、７，１４−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）、２−｛２−イソプロピル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＩ）、２−｛２−ｔｅｒｔ−ブチル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＢ）、２−（２，６−ビス｛２−［４−（ジメチルアミノ）フェニル］エテニル｝−４Ｈ−ピラン−４−イリデン）プロパンジニトリル（略称：ＢｉｓＤＣＭ）、２−｛２，６−ビス［２−（８−メトキシ−１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＢｉｓＤＣＪＴＭ）、５，１０，１５，２０−テトラフェニルビスベンゾ［５，６］インデノ［１，２，３−ｃｄ：１’，２’，３’−ｌｍ］ペリレン、などが挙げられる。
【０１２６】
ゲスト材料１３３としては、上記の材料に限定されることはない。すなわち、エネルギードナーである有機化合物１３１の発光（熱活性化遅延蛍光）が、エネルギーアクセプターであるゲスト材料１３３の発光材料の吸収スペクトルにおける最も長波長側の吸収帯（ゲスト材料１３３の一重項基底状態から一重項励起状態への遷移に相当する吸収）と重なっていればよく、他の材料を用いても良い。
【０１２７】
なお、発光層１２０は、蒸着法（真空蒸着法を含む）、インクジェット法、塗布法、グラビア印刷等の方法で形成することができる。
【０１２８】
次に、図１（Ａ）に示す発光素子１５０のその他の構成の詳細について、以下説明する。
【０１２９】
≪一対の電極≫
電極１０１及び電極１０２は、発光層１２０へ正孔と電子を注入する機能を有する。電極１０１及び電極１０２は、金属、合金、導電性化合物、およびこれらの混合物や積層体などを用いて形成することができる。金属としてはアルミニウムが典型例であり、その他、銀、タングステン、クロム、モリブデン、銅、チタンなどの遷移金属、リチウムやセシウムなどのアルカリ金属、カルシウム、マグネシウムなどの第２族金属を用いることができる。遷移金属としてイッテルビウム（Ｙｂ）などの希土類金属を用いても良い。合金としては、上記金属を含む合金を使用することができ、例えばＭｇＡｇ、ＡｌＬｉなどが挙げられる。導電性化合物としては、酸化インジウム−酸化スズ（Ｉｎｄｉｕｍ  Ｔｉｎ  Ｏｘｉｄｅ）などの金属酸化物が挙げられる。導電性化合物としてグラフェンなどの無機炭素系材料を用いても良い。上述したように、これらの材料の複数を積層することによって電極１０１及び電極１０２の一方または双方を形成しても良い。
【０１３０】
また、発光層１２０から得られる発光は、電極１０１及び電極１０２の一方または双方を通して取り出される。したがって、電極１０１及び電極１０２の少なくとも一つは可視光を透過する。光を取り出す方の電極に金属や合金などの光透過性の低い材料を用いる場合には、可視光を透過できる程度の厚さ（例えば、１ｎｍから１０ｎｍの厚さ）で電極１０１及び電極１０２の一方または双方を形成すればよい。
【０１３１】
≪正孔注入層≫
正孔注入層１１１は、電極１０１からのホール注入障壁を低減することでホール注入を促進する機能を有し、例えば遷移金属酸化物、フタロシアニン誘導体、あるいは芳香族アミンなどによって形成される。遷移金属酸化物としては、モリブデン酸化物やバナジウム酸化物、ルテニウム酸化物、タングステン酸化物、マンガン酸化物などが挙げられる。フタロシアニン誘導体としては、フタロシアニンや金属フタロシアニンなどが挙げられる。芳香族アミンとしてはベンジジン誘導体やフェニレンジアミン誘導体などが挙げられる。ポリチオフェンやポリアニリンなどの高分子化合物を用いることもでき、例えば自己ドープされたポリチオフェンであるポリ（エチレンジオキシチオフェン）／ポリ（スチレンスルホン酸）などがその代表例である。
【０１３２】
正孔注入層１１１として、正孔輸送性材料と、これに対して電子受容性を示す材料の複合材料を有する層を用いることもできる。あるいは、電子受容性を示す材料を含む層と正孔輸送性材料を含む層の積層を用いても良い。これらの材料間では定常状態、あるいは電界存在下において電荷の授受が可能である。電子受容性を示す材料としては、キノジメタン誘導体やクロラニル誘導体、ヘキサアザトリフェニレン誘導体などの有機アクセプターを挙げることができる。具体的には、７，７，８，８−テトラシアノ−２，３，５，６−テトラフルオロキノジメタン（略称：Ｆ４−ＴＣＮＱ）、クロラニル、２，３，６，７，１０，１１−ヘキサシアノ−１，４，５，８，９，１２−ヘキサアザトリフェニレン（略称：ＨＡＴ−ＣＮ）等の電子吸引基（ハロゲン基やシアノ基）を有する化合物である。また、遷移金属酸化物、例えば第４族から第８族金属の酸化物を用いることができる。具体的には、酸化バナジウム、酸化ニオブ、酸化タンタル、酸化クロム、酸化モリブデン、酸化タングステン、酸化マンガン、酸化レニウムなどである。中でも酸化モリブデンは大気中でも安定であり、吸湿性が低く、扱いやすいため好ましい。
【０１３３】
正孔輸送性材料としては、電子よりも正孔の輸送性の高い材料を用いることができ、１×１０−６ｃｍ２／Ｖｓ以上の正孔移動度を有する材料であることが好ましい。具体的には、芳香族アミン、カルバゾール誘導体、芳香族炭化水素、スチルベン誘導体などを用いることができる。また、有機化合物１３２として例示した正孔を受け取りやすい骨格を有する化合物を用いることができる。また、該正孔輸送性材料は高分子化合物であっても良い。
【０１３４】
≪正孔輸送層≫
正孔輸送層１１２は正孔輸送性材料を含む層であり、正孔注入層１１１の材料として例示した材料を使用することができる。正孔輸送層１１２は、正孔注入層１１１に注入された正孔を発光層１２０へ輸送する機能を有するため、正孔注入層１１１のＨＯＭＯと同じ、あるいは近いＨＯＭＯのエネルギー準位を有することが好ましい。
【０１３５】
≪電子輸送層≫
電子輸送層１１８は、電子注入層１１９を経て電極１０２から注入された電子を発光層１２０へ輸送する機能を有する。電子輸送性材料としては、正孔よりも電子の輸送性の高い材料を用いることができ、１×１０−６ｃｍ２／Ｖｓ以上の電子移動度を有する材料であることが好ましい。具体的には、キノリン配位子、ベンゾキノリン配位子、オキサゾール配位子、あるいはチアゾール配位子を有する金属錯体、オキサジアゾール誘導体、トリアゾール誘導体、フェナントロリン誘導体、ピリジン誘導体、ビピリジン誘導体などが挙げられる。また、有機化合物１３２として例示した電子を受け取り易い骨格を有する化合物を用いることができる。
【０１３６】
≪電子注入層≫
電子注入層１１９は電極１０２からの電子注入障壁を低減することで電子注入を促進する機能を有し、例えば第１族金属、第２族金属、あるいはこれらの酸化物、ハロゲン化物、炭酸塩などを用いることができる。また、先に示す電子輸送性材料と、これに対して電子供与性を示す材料の複合材料を用いることもできる。電子供与性を示す材料としては、第１族金属、第２族金属、あるいはこれらの酸化物などを挙げることができる。
【０１３７】
なお、上述した正孔注入層１１１、正孔輸送層１１２、電子輸送層１１８、及び電子注入層１１９は、それぞれ、蒸着法（真空蒸着法を含む）、インクジェット法、塗布法、グラビア印刷法等の方法で形成することができる。
【０１３８】
また、正孔注入層１１１、正孔輸送層１１２、発光層１２０、電子輸送層１１８、及び電子注入層１１９には、上述した材料の他、無機化合物または高分子化合物（オリゴマー、デンドリマー、ポリマー等）を用いてもよい。
【０１３９】
≪基板≫
また、発光素子１５０は、ガラス、プラスチックなどからなる基板上に作製すればよい。基板上に作製する順番としては、電極１０１側から順に積層しても、電極１０２側から順に積層しても良い。
【０１４０】
なお、発光素子１５０を形成できる基板としては、例えばガラス、石英、又はプラスチックなどを用いることができる。また可撓性基板を用いてもよい。可撓性基板とは、曲げることができる（フレキシブル）基板のことであり、例えば、ポリカーボネート、ポリアリレートからなるプラスチック基板等が挙げられる。また、フィルム、無機蒸着フィルムなどを用いることもできる。なお、発光素子、及び光学素子の作製工程において支持体として機能するものであれば、これら以外のものでもよい。あるいは、発光素子、及び光学素子を保護する機能を有するものであればよい。
【０１４１】
例えば、様々な基板を用いて発光素子１５０を形成することが出来る。基板の種類は、特定のものに限定されることはない。その基板の一例としては、半導体基板（例えば単結晶基板又はシリコン基板）、ＳＯＩ基板、ガラス基板、石英基板、プラスチック基板、金属基板、ステンレス・スチル基板、ステンレス・スチル・ホイルを有する基板、タングステン基板、タングステン・ホイルを有する基板、可撓性基板、貼り合わせフィルム、繊維状の材料を含む紙、又は基材フィルムなどがある。ガラス基板の一例としては、バリウムホウケイ酸ガラス、アルミノホウケイ酸ガラス、又はソーダライムガラスなどがある。可撓性基板、貼り合わせフィルム、基材フィルムなどの一例としては、以下のものがあげられる。例えば、ポリエチレンテレフタレート（ＰＥＴ）、ポリエチレンナフタレート（ＰＥＮ）、ポリエーテルスルフォン（ＰＥＳ）、ポリテトラフルオロエチレン（ＰＴＦＥ）に代表されるプラスチックがある。または、一例としては、アクリル等の樹脂などがある。または、一例としては、ポリプロピレン、ポリエステル、ポリフッ化ビニル、又はポリ塩化ビニルなどがある。または、一例としては、ポリアミド、ポリイミド、アラミド、エポキシ、無機蒸着フィルム、又は紙類などがある。
【０１４２】
また、基板として、可撓性基板を用い、可撓性基板上に直接、発光素子を形成してもよい。または、基板と発光素子との間に剥離層を設けてもよい。剥離層は、その上に発光素子を一部あるいは全部完成させた後、基板より分離し、他の基板に転載するために用いることができる。その際、耐熱性の劣る基板や可撓性の基板にも発光素子を転載できる。なお、上述の剥離層には、例えば、タングステン膜と酸化シリコン膜との無機膜の積層構造の構成や、基板上にポリイミド等の樹脂膜が形成された構成等を用いることができる。
【０１４３】
つまり、ある基板を用いて発光素子を形成し、その後、別の基板に発光素子を転置し、別の基板上に発光素子を配置してもよい。発光素子が転置される基板の一例としては、上述した基板に加え、セロファン基板、石材基板、木材基板、布基板（天然繊維（絹、綿、麻）、合成繊維（ナイロン、ポリウレタン、ポリエステル）若しくは再生繊維（アセテート、キュプラ、レーヨン、再生ポリエステル）などを含む）、皮革基板、又はゴム基板などがある。これらの基板を用いることにより、壊れにくい発光素子、耐熱性の高い発光素子、軽量化された発光素子、または薄型化された発光素子とすることができる。
【０１４４】
また、上述した基板上に、例えば電界効果トランジスタ（ＦＥＴ）を形成し、ＦＥＴと電気的に接続された電極上に発光素子１５０を作製してもよい。これにより、ＦＥＴによって発光素子１５０の駆動を制御するアクティブマトリクス型の表示装置を作製できる。
【０１４５】
なお、本実施の形態において、本発明の一態様について述べた。または、他の実施の形態において、本発明の一態様について述べる。ただし、本発明の一態様は、これらに限定されない。例えば、本発明の一態様では、有機化合物１３１のＨＯＭＯは有機化合物１３２のＨＯＭＯ以上のエネルギー準位を有し、有機化合物１３１のＬＵＭＯは有機化合物１３２のＬＵＭＯ以下のエネルギー準位を有する場合や、有機化合物１３１の酸化電位は有機化合物１３２の酸化電位以下であり、有機化合物１３１の還元電位は有機化合物１３２の還元電位以上である場合の例を示したが、本発明の一態様は、これに限定されない。場合によっては、または、状況に応じて、本発明の一態様では、例えば、有機化合物１３１のＨＯＭＯは有機化合物１３２のＨＯＭＯ以上のエネルギー準位を有さなくても良く、あるいは、有機化合物１３１のＬＵＭＯは有機化合物１３２のＬＵＭＯ以下のエネルギー準位を有さなくても良い。または有機化合物１３１の酸化電位は有機化合物１３２の酸化電位以下でなくてもよく、あるいは、有機化合物１３１の還元電位は有機化合物１３２の還元電位以上でなくてもよい。または、例えば、本発明の一態様では、有機化合物１３１において、室温で熱活性化遅延蛍光を示す物質である場合の例を示したが、本発明の一態様は、これに限定されない。場合によっては、または、状況に応じて、本発明の一態様では、例えば、有機化合物１３１は、室温で熱活性化遅延蛍光を示す物質以外の物質を有してもよい。あるいは、場合によっては、または、状況に応じて、本発明の一態様では、例えば、有機化合物１３１は、室温で熱活性化遅延蛍光を示す物質を有していなくてもよい。または、例えば、本発明の一態様では、有機化合物１３２と有機化合物１３１の重量比は、有機化合物１３１の重量比が低い場合の例を示したが、本発明の一態様は、これに限定されない。場合によっては、または、状況に応じて、本発明の一態様では、例えば、有機化合物１３２と有機化合物１３１の重量比は、有機化合物１３１の重量比が低くなくてもよい。
【０１４６】
以上、本実施の形態に示す構成は、他の実施の形態と適宜組み合わせて用いることができる。
【０１４７】
（実施の形態２）
本実施の形態においては、実施の形態１に示す構成と異なる構成の発光素子、及び当該発光素子の発光機構について、図３（Ａ）（Ｂ）を用いて、以下説明を行う。
【０１４８】
＜発光素子の構成例＞
図３（Ａ）は、発光素子４５０の断面模式図である。
【０１４９】
図３（Ａ）に示す発光素子４５０は、一対の電極（電極４０１及び電極４０２）の間に、複数の発光ユニット（図３（Ａ）においては、発光ユニット４４１及び発光ユニット４４２）を有する。１つの発光ユニットは、図１で示すＥＬ層１００と同様な構成を有する。つまり、図１で示した発光素子１５０は、１つの発光ユニットを有し、発光素子４５０は、複数の発光ユニットを有する。なお、発光素子４５０において、電極４０１が陽極として機能し、電極４０２が陰極として機能するとして、以下説明するが、発光素子４５０の構成としては、逆であっても構わない。
【０１５０】
また、図３（Ａ）に示す発光素子４５０において、発光ユニット４４１と発光ユニット４４２とが積層されており、発光ユニット４４１と発光ユニット４４２との間には電荷発生層４４５が設けられる。なお、発光ユニット４４１と発光ユニット４４２は、同じ構成でも異なる構成でもよい。例えば、発光ユニット４４１に、図１に示すＥＬ層１００を用い、発光ユニット４４２に発光材料として燐光材料を有する発光層を用いると好適である。
【０１５１】
すなわち、発光素子４５０は、発光層４４３と、発光層４４４と、を有する。また、発光ユニット４４１は、発光層４４３の他に、正孔注入層４１１、正孔輸送層４１２、電子輸送層４１３、及び電子注入層４１４を有する。また、発光ユニット４４２は、発光層４４４の他に、正孔注入層４１５、正孔輸送層４１６、電子輸送層４１７、及び電子注入層４１８を有する。
【０１５２】
電荷発生層４４５には、有機材料と電子受容性を示す材料の複合材料が含まれていると好ましい。該複合材料には、実施の形態１に示す正孔注入層１１１に用いることができる複合材料を用いればよい。有機材料としては、芳香族アミン化合物、カルバゾール化合物、芳香族炭化水素、高分子化合物（オリゴマー、デンドリマー、ポリマー等）など、種々の化合物を用いることができる。なお、有機材料としては、正孔移動度が１×１０−６ｃｍ２／Ｖｓ以上であるものを適用することが好ましい。ただし、電子よりも正孔の輸送性の高い材料であれば、これら以外のものを用いてもよい。有機材料と電子受容性を示す材料の複合材料は、キャリア注入性、キャリア輸送性に優れているため、低電圧駆動、低電流駆動を実現することができる。なお、発光ユニット４４２のように、発光ユニットの陽極側の面が電荷発生層４４５に接している場合は、電荷発生層４４５が発光ユニットの正孔注入層または正孔輸送層の役割も担うことができるため、該発光ユニットには正孔注入層または正孔輸送層を設けない構成としても良い。
【０１５３】
なお、電荷発生層４４５は、有機材料と電子受容性を示す材料の複合材料を含む層と、他の材料により構成される層と、を組み合わせた積層構造として形成してもよい。例えば、有機材料と電子受容性を示す材料の複合材料を含む層と、電子供与性を示す材料の中から選ばれた一の材料と電子輸送性の高い材料とを含む層と、を組み合わせて形成してもよい。また、有機材料と電子受容性を示す材料の複合材料を含む層と、透明導電膜を含む層と、を組み合わせて形成してもよい。
【０１５４】
なお、発光ユニット４４１と発光ユニット４４２に挟まれる電荷発生層４４５は、電極４０１と電極４０２に電圧を印加したときに、一方の発光ユニットに電子を注入し、他方の発光ユニットに正孔を注入するものであれば良い。例えば、図３（Ａ）において、電極４０１の電位の方が電極４０２の電位よりも高くなるように電圧を印加した場合、電荷発生層４４５は、発光ユニット４４１に電子を注入し、発光ユニット４４２に正孔を注入する。
【０１５５】
また、図３（Ａ）においては、２つの発光ユニットを有する発光素子について説明したが、３つ以上の発光ユニットを積層した発光素子についても、同様の構成を適用することが可能である。発光素子４５０に示すように、一対の電極間に複数の発光ユニットを電荷発生層で仕切って配置することで、電流密度を低く保ったまま、高輝度発光を可能とし、さらに長寿命な発光素子を実現できる。また、消費電力が低い発光素子を実現することができる。
【０１５６】
なお、複数のユニットのうち、少なくとも一つのユニットに、図１で示すＥＬ層１００の構成を適用することによって、発光効率の高い、発光素子を提供することができる。
【０１５７】
また、発光層４４３は、有機化合物４２１と、有機化合物４２２と、ゲスト材料４２３とを有する。また、発光層４４４は、有機化合物４３１と、有機化合物４３２と、ゲスト材料４３３とを有する。
【０１５８】
また、本実施の形態において、発光層４４３は、図１に示す発光層１２０と同様の構成とする。すなわち、発光層４４３が有する有機化合物４２１、有機化合物４２２、及びゲスト材料４２３は、発光層１２０が有する有機化合物１３１、有機化合物１３２、及びゲスト材料１３３に、それぞれ相当する。また、発光層４４４が有するゲスト材料４３３が燐光材料として、以下説明する。なお、電極４０１、電極４０２、正孔注入層４１１及び４１５、正孔輸送層４１２及び４１６、電子輸送層４１３及び４１７、電子注入層４１４及び４１８は、実施の形態１に示す、電極１０１、電極１０２、正孔注入層１１１、正孔輸送層１１２、電子輸送層１１８、電子注入層１１９に、それぞれ相当する。したがって、本実施の形態においては、その詳細な説明は省略する。
【０１５９】
＜発光層４４３の発光機構＞
発光層４４３の発光機構としては、図２に示す発光層１２０の発光機構と同様である。
【０１６０】
＜発光層４４４の発光機構＞
次に、発光層４４４の発光機構について、以下説明を行う。
【０１６１】
発光層４４４が有する、有機化合物４３１と、有機化合物４３２とは励起錯体を形成する。ここでは、有機化合物４３１をホスト材料として、有機化合物４３２をアシスト材料と呼称して説明する。
【０１６２】
有機化合物４３１と有機化合物４３２との組み合わせは、発光層４４４において励起錯体を形成することが可能な組み合わせであればよいが、一方が正孔輸送性を有する材料であり、他方が電子輸送性を有する材料であることが、より好ましい。
【０１６３】
発光層４４４における有機化合物４３１と、有機化合物４３２と、ゲスト材料４３３とのエネルギー準位の相関を図３（Ｂ）に示す。なお、図３（Ｂ）における表記及び符号は、以下の通りである。
・Ｈｏｓｔ（４３１）：ホスト材料（有機化合物４３１）
・Ａｓｓｉｓｔ（４３２）：アシスト材料（有機化合物４３２）
・Ｇｕｅｓｔ（４３３）：ゲスト材料４３３（燐光材料）
・ＳＰＨ：ホスト材料（有機化合物４３１）の一重項励起状態の最も低い準位
・ＴＰＨ：ホスト材料（有機化合物４３１）の三重項励起状態の最も低い準位
・ＴＰＧ：ゲスト材料４３３（燐光材料）の三重項励起状態の最も低い準位
・ＳＰＥ：励起錯体の一重項励起状態の最も低い準位
・ＴＰＥ：励起錯体の三重項励起状態の最も低い準位
【０１６４】
有機化合物４３１と有機化合物４３２とにより形成される、励起錯体の一重項励起状態の最も低い準位（ＳＰＥ）と励起錯体の三重項励起状態の最も低い準位（ＴＰＥ）は互いに隣接することになる（図３（Ｂ）のルートＥ７参照）。
【０１６５】
そして、励起錯体のＳＰＥとＴＰＥの双方のエネルギーを、ゲスト材料４３３（燐光材料）の三重項励起状態の最も低い準位（ＴＰＧ）へ移動させて発光が得られる（図３（Ｂ）のルートＥ８参照）。
【０１６６】
なお、上記に示すルートＥ７及びルートＥ８の過程を、本明細書等においてＥｘＴＥＴ（Ｅｘｃｉｐｌｅｘ−Ｔｒｉｐｌｅｔ  Ｅｎｅｒｇｙ  Ｔｒａｎｓｆｅｒ）と呼称する場合がある。
【０１６７】
また、有機化合物４３１及び有機化合物４３２は、一方がホールを、他方が電子を受け取り、それらが近接することで速やかに励起錯体を形成する。あるいは、一方が励起状態となると、速やかに他方の物質と相互作用することで励起錯体を形成する。したがって、発光層４４４における励起子のほとんどが励起錯体として存在する。励起錯体は、有機化合物４３１及び有機化合物４３２のどちらよりもバンドギャップは小さくなるため、励起錯体が形成されることにより、発光素子の駆動電圧を下げることができる。
【０１６８】
発光層４４４を上述の構成とすることで、発光層４４４のゲスト材料４３３（燐光材料）からの発光を、効率よく得ることが可能となる。
【０１６９】
なお、発光層４４３からの発光が、発光層４４４からの発光よりも短波長側に発光のピークを有する構成とすることが好ましい。短波長の発光を呈する燐光材料を用いた発光素子は輝度劣化が早い傾向がある。そこで、短波長の発光を蛍光発光とすることによって、輝度劣化の小さい発光素子を提供することができる。
【０１７０】
また、発光層４４３と発光層４４４とが異なる発光波長の光を呈する構成とすることによって、多色発光の発光素子を作製することができる。この場合、発光素子が呈する発光スペクトルは異なる発光ピークを有する発光が合成された光となるため、少なくとも二つの極大値を有する発光スペクトルとなる。
【０１７１】
また、上記の構成は白色発光を得るためにも好適である。発光層４４３と発光層４４４との光を互いに補色の関係とすることによって、白色発光を得ることができる。
【０１７２】
また、発光層４４３及び発光層４４４のいずれか一方または双方に発光波長の異なる複数の発光材料を用いることによって、三原色や、４色以上の発光色からなる演色性の高い白色発光を得ることもできる。この場合、発光層４４３及び発光層４４４のいずれか一方または双方を層状にさらに分割し、当該分割した層ごとに異なる発光材料を含有させるようにしても良い。
【０１７３】
次に、発光層４４３及び発光層４４４に用いることのできる材料について、以下説明する。
【０１７４】
＜発光層４４３に用いることのできる材料＞
発光層４４３に用いることのできる材料としては、先の実施の形態１に示す発光層１２０に用いることのできる材料を援用すればよい。
【０１７５】
＜発光層４４４に用いることのできる材料＞
発光層４４４中では、有機化合物４３１（ホスト材料）が重量比で最も多く存在し、ゲスト材料４３３（燐光材料）は、有機化合物４３１（ホスト材料）中に分散される。
【０１７６】
有機化合物４３１（ホスト材料）としては、亜鉛やアルミニウム系金属錯体の他、オキサジアゾール誘導体、トリアゾール誘導体、ベンゾイミダゾール誘導体、キノキサリン誘導体、ジベンゾキノキサリン誘導体、ジベンゾチオフェン誘導体、ジベンゾフラン誘導体、ピリミジン誘導体、トリアジン誘導体、ピリジン誘導体、ビピリジン誘導体、フェナントロリン誘導体などが挙げられる。他の例としては、芳香族アミンやカルバゾール誘導体などが挙げられる。また、実施の形態１に示した、電子を受け取り易い骨格を有する化合物や、ホールを受け取り易い骨格を有する化合物を、用いることができる。
【０１７７】
ゲスト材料４３３（燐光材料）としては、イリジウム、ロジウム、または白金系の有機金属錯体、あるいは金属錯体が挙げられ、中でも有機イリジウム錯体、例えばイリジウム系オルトメタル錯体が好ましい。オルトメタル化する配位子としては４Ｈ−トリアゾール配位子、１Ｈ−トリアゾール配位子、イミダゾール配位子、ピリジン配位子、ピリミジン配位子、ピラジン配位子、あるいはイソキノリン配位子などが挙げられる。金属錯体としては、ポルフィリン配位子を有する白金錯体などが挙げられる。
【０１７８】
有機化合物４３２（アシスト材料）としては、有機化合物４３１と励起錯体を形成できる組み合わせとする。この場合、励起錯体の発光ピークが燐光材料の三重項ＭＬＣＴ（Ｍｅｔａｌ  ｔｏ  Ｌｉｇａｎｄ  Ｃｈａｒｇｅ  Ｔｒａｎｓｆｅｒ）遷移の吸収帯、より具体的には、最も長波長側の吸収帯と重なるように、有機化合物４３１、有機化合物４３２、およびゲスト材料４３３（燐光材料）を選択することが好ましい。これにより、発光効率が飛躍的に向上した発光素子とすることができる。ただし、燐光材料に替えて熱活性化遅延蛍光材料を用いる場合においては、最も長波長側の吸収帯は一重項の吸収帯であることが好ましい。有機化合物４３２として具体的には、実施の形態１に示した、電子を受け取り易い骨格を有する化合物や、ホールを受け取り易い骨格を有する化合物を、用いることができる。
【０１７９】
発光層４４４に含まれる発光材料としては、三重項励起エネルギーを発光に変換できる材料であればよい。該三重項励起エネルギーを発光に変換できる材料としては、燐光材料の他に、熱活性化遅延蛍光材料が挙げられる。したがって、燐光材料と記載した部分に関しては、熱活性化遅延蛍光材料と読み替えても構わない。なお、熱活性化遅延蛍光材料とは、三重項励起状態をわずかな熱エネルギーによって一重項励起状態にアップコンバート（逆項間交差）が可能で、一重項励起状態からの発光（蛍光）を効率よく呈する材料のことである。また、熱活性化遅延蛍光が効率良く得られる条件としては、三重項励起エネルギー準位と一重項励起エネルギー準位のエネルギー差が、好ましくは０ｅＶを超えて０．２ｅＶ以下、さらに好ましくは０ｅＶを超えて０．１ｅＶ以下であることが挙げられる。
【０１８０】
また、発光層４４３に含まれる発光材料と発光層４４４に含まれる発光材料の発光色に限定は無く、同じでも異なっていても良い。各々から得られる発光が混合されて素子外へ取り出されるので、例えば両者の発光色が互いに補色の関係にある場合、発光素子は白色の光を与えることができる。発光素子の信頼性を考慮すると、発光層４４３に含まれる発光材料の発光ピーク波長は発光層４４４に含まれる発光材料のそれよりも短いことが好ましい。
【０１８１】
なお、発光層４４３及び発光層４４４は、蒸着法（真空蒸着法を含む）、インクジェット法、塗布法、グラビア印刷等の方法で形成することができる。
【０１８２】
なお、本実施の形態に示す構成は、他の実施の形態に示した構成と適宜組み合わせて用いることができる。
【０１８３】
（実施の形態３）
本実施の形態においては、実施の形態１、および実施の形態２に示す構成と異なる構成の発光素子について、図４（Ａ）（Ｂ）を用いて、以下説明を行う。
【０１８４】
＜発光素子の構成例＞
図４（Ａ）は、本発明の一態様の発光素子４５２を説明する断面模式図である。
【０１８５】
発光素子４５２は、電極４０１と、電極４０２との間に、複数の発光ユニット（図４（Ａ）においては、発光ユニット４４６及び発光ユニット４４７）を有する。１つの発光ユニットは、図１で示すＥＬ層１００と同様な構成を有する。つまり、図１で示した発光素子１５０は、１つの発光ユニットを有し、発光素子４５２は、複数の発光ユニットを有する。なお、本実施の形態において、電極４０１が陽極、電極４０２が陰極として、以下説明するが、発光素子４５２の構成としては、逆であっても構わない。
【０１８６】
また、図４（Ａ）に示す発光素子４５２において、発光ユニット４４６と発光ユニット４４７とが積層されており、発光ユニット４４６と発光ユニット４４７との間には電荷発生層４４５が設けられる。なお、発光ユニット４４６と発光ユニット４４７は、同じ構成でも異なる構成でもよい。例えば、発光ユニット４４６に発光材料として蛍光材料を有する発光層を用い、発光ユニット４４７に図１に示すＥＬ層１００を用いると好適である。
【０１８７】
すなわち、発光素子４５２は、発光層４４８と、発光層４４９と、を有する。また、発光ユニット４４６は、発光層４４８の他に、正孔注入層４１１、正孔輸送層４１２、電子輸送層４１３、及び電子注入層４１４を有する。また、発光ユニット４４７は、発光層４４９の他に、正孔注入層４１５、正孔輸送層４１６、電子輸送層４１７、及び電子注入層４１８を有する。
【０１８８】
また、図４（Ａ）においては、２つの発光ユニットを有する発光素子について説明したが、３つ以上の発光ユニットを積層した発光素子についても、同様の構成を適用することが可能である。発光素子４５２に示すように、一対の電極間に複数の発光ユニットを電荷発生層で仕切って配置することで、電流密度を低く保ったまま、高輝度発光を可能とし、さらに長寿命な素子を実現できる。また、消費電力が低い表示装置を実現することができる。
【０１８９】
なお、複数のユニットのうち、少なくとも一つのユニットに、図１で示すＥＬ層１００の構成を適用することによって、発光効率の高い、発光素子を提供することができる。
【０１９０】
また、発光層４４８は、ホスト材料４６１と、ゲスト材料４６２とを有する。また、発光層４４９は、有機化合物４７１と、有機化合物４７２と、ゲスト材料４７３とを有する。
【０１９１】
また、本実施の形態において、発光層４４９は、図１に示す発光層１２０と同様の構成とする。すなわち、発光層４４９が有する有機化合物４７１、有機化合物４７２、及びゲスト材料４７３は、発光層１２０が有する有機化合物１３１、有機化合物１３２、及びゲスト材料１３３に、それぞれ相当する。また、発光層４４８が有するゲスト材料４６２が蛍光材料として、以下説明する。
【０１９２】
＜発光層４４８の発光機構＞
まず、発光層４４８の発光機構について、以下説明を行う。
【０１９３】
発光層４４８では、キャリアの再結合により、励起状態が形成される。ゲスト材料４６２と比較してホスト材料４６１は大量に存在するので、励起状態は、ほぼホスト材料４６１の励起状態として存在する。キャリアの再結合によって生じる一重項励起状態と三重項励起状態の比（以下、励起子生成確率）は約１：３となる。
【０１９４】
はじめに、ホスト材料４６１の三重項励起エネルギー準位がゲスト材料４６２の三重項励起エネルギー準位よりも高い場合について、以下説明する。
【０１９５】
ホスト材料４６１の三重項励起エネルギー準位からゲスト材料４６２の三重項励起エネルギー準位にエネルギー移動（三重項エネルギー移動）が生じる。しかしながら、ゲスト材料４６２が蛍光材料であるため、ゲスト材料４６２が三重項励起状態のときには可視光領域に発光を与えない。したがって、ホスト材料４６１の三重項励起状態のエネルギーを発光として利用することが難しい。よって、ホスト材料４６１の三重項励起エネルギー準位がゲスト材料４６２の三重項励起エネルギー準位よりも高い場合においては、注入したキャリアのうち、約２５％を超えて発光に利用することが難しい。
【０１９６】
次に、発光層４４８におけるホスト材料４６１と、ゲスト材料４６２とのエネルギー準位の相関を図４（Ｂ）に示す。なお、図４（Ｂ）における表記及び符号は、以下の通りである。
・Ｈｏｓｔ（４６１）：ホスト材料４６１
・Ｇｕｅｓｔ（４６２）：ゲスト材料４６２（蛍光材料）
・ＳＦＨ：ホスト材料４６１の一重項励起状態の最も低い準位
・ＴＦＨ：ホスト材料４６１の三重項励起状態の最も低い準位
・ＳＦＧ：ゲスト材料４６２（蛍光材料）の一重項励起状態の最も低い準位
・ＴＦＧ：ゲスト材料４６２（蛍光材料）の三重項励起状態の最も低い準位
【０１９７】
図４（Ｂ）に示すように、ゲスト材料４６２の三重項励起エネルギー準位（図４（Ｂ）において、ＴＦＧ）が、ホスト材料４６１の三重項励起エネルギー準位（図４（Ｂ）において、ＴＦＨ）よりも高い構成である。
【０１９８】
また、図４（Ｂ）に示すように、三重項−三重項消滅（ＴＴＡ：Ｔｒｉｐｌｅｔ−Ｔｒｉｐｌｅｔ  Ａｎｎｉｈｉｌａｔｉｏｎ）によって（図４（Ｂ）のルートＥ９参照）、三重項励起子同士が衝突することにより、それらの励起エネルギーの一部がホスト材料４６１の一重項励起状態の最も低い準位（ＳＦＨ）に変換される。ホスト材料４６１の一重項励起状態の最も低い準位（ＳＦＨ）からは、それよりも準位の低いゲスト材料４６２（蛍光材料）の一重項励起状態の最も低い準位（ＳＦＧ）へエネルギー移動が起こり（図４（Ｂ）のルートＥ１０参照）、ゲスト材料４６２（蛍光材料）が発光する。
【０１９９】
なお、ホスト材料４６１の三重項励起エネルギー準位がゲスト材料４６２の三重項励起エネルギー準位よりも低いため、ＴＦＧのエネルギーは失活することなくＴＦＨにエネルギー移動（図４（Ｂ）のルートＥ１１参照）し、ＴＴＡに利用される。
【０２００】
発光層４４８を上述の構成とすることで、発光層４４８のゲスト材料４６２からの発光を、効率よく得ることが可能となる。
【０２０１】
なお、発光層４４８と発光層４４９とが異なる発光波長の光を呈する構成とすることによって、多色発光の発光素子を作製することができる。この場合、発光素子が呈する発光スペクトルは異なる発光ピークを有する発光が合成された光となるため、少なくとも二つの極大値を有する発光スペクトルとなる。
【０２０２】
また、上記の構成は白色発光を得るためにも好適である。発光層４４８と発光層４４９との光を互いに補色の関係とすることによって、白色発光を得ることができる。
【０２０３】
また、発光層４４８及び発光層４４９のいずれか一方または双方に発光波長の異なる複数の発光材料を用いることによって、三原色や、４色以上の発光色からなる演色性の高い白色発光を得ることもできる。この場合、発光層４４８及び発光層４４９のいずれか一方または双方を層状にさらに分割し、当該分割した層ごとに異なる発光材料を含有させるようにしても良い。
【０２０４】
＜発光層４４９の発光機構＞
発光層４４９の発光機構としては、図２に示す発光層１２０の発光機構と同様である。
【０２０５】
次に、発光層４４８及び発光層４４９に用いることのできる材料について、以下説明する。
【０２０６】
＜発光層４４８に用いることのできる材料＞
発光層４４８中では、ホスト材料４６１が重量比で最も多く存在し、ゲスト材料４６２（蛍光材料）は、ホスト材料４６１中に分散される。ホスト材料４６１の一重項励起エネルギー準位は、ゲスト材料４６２（蛍光材料）の一重項励起エネルギー準位よりも高く、ホスト材料４６１の三重項励起エネルギー準位は、ゲスト材料４６２（蛍光材料）の三重項励起エネルギー準位よりも低いことが好ましい。
【０２０７】
ホスト材料４６１として、アントラセン誘導体、あるいはテトラセン誘導体が好ましい。これらの誘導体は一重項励起エネルギー準位が高く、三重項励起エネルギー準位が低いからである。具体的には、９−フェニル−３−［４−（１０−フェニル−９−アントリル）フェニル］−９Ｈ−カルバゾール（略称：ＰＣｚＰＡ）、３−［４−（１−ナフチル）−フェニル］−９−フェニル−９Ｈ−カルバゾール（略称：ＰＣＰＮ）、９−［４−（１０−フェニル−９−アントラセニル）フェニル］−９Ｈ−カルバゾール（略称：ＣｚＰＡ）、７−［４−（１０−フェニル−９−アントリル）フェニル］−７Ｈ−ジベンゾ［ｃ，ｇ］カルバゾール（略称：ｃｇＤＢＣｚＰＡ）、６−［３−（９，１０−ジフェニル−２−アントリル）フェニル］−ベンゾ［ｂ］ナフト［１，２−ｄ］フラン（略称：２ｍＢｎｆＰＰＡ）、９−フェニル−１０−｛４−（９−フェニル−９Ｈ−フルオレン−９−イル）−ビフェニル−４’−イル｝−アントラセン（略称：ＦＬＰＰＡ）などが挙げられる。あるいは、５，１２−ジフェニルテトラセン、５，１２−ビス（ビフェニル−２−イル）テトラセンなどが挙げられる。
【０２０８】
ゲスト材料４６２（蛍光材料）としては、ピレン誘導体、アントラセン誘導体、トリフェニレン誘導体、フルオレン誘導体、カルバゾール誘導体、ジベンゾチオフェン誘導体、ジベンゾフラン誘導体、ジベンゾキノキサリン誘導体、キノキサリン誘導体、ピリジン誘導体、ピリミジン誘導体、フェナントレン誘導体、ナフタレン誘導体などが挙げられる。特にピレン誘導体は発光量子収率が高いので好ましい。ピレン誘導体の具体例としては、Ｎ，Ｎ’−ビス（３−メチルフェニル）−Ｎ，Ｎ’−ビス［３−（９−フェニル−９Ｈ−フルオレン−９−イル）フェニル］ピレン−１，６−ジアミン（略称：１，６ｍＭｅｍＦＬＰＡＰｒｎ）、Ｎ，Ｎ’−ビス［４−（９−フェニル−９Ｈ−フルオレン−９−イル）フェニル］−Ｎ，Ｎ’−ジフェニルピレン−１，６−ジアミン（略称：１，６ＦＬＰＡＰｒｎ）、Ｎ，Ｎ’−ビス（ジベンゾフラン−２−イル）−Ｎ，Ｎ’−ジフェニルピレン−１，６−ジアミン（略称：１，６ＦｒＡＰｒｎ）、Ｎ，Ｎ’−ビス（ジベンゾチオフェン−２−イル）−Ｎ，Ｎ’−ジフェニルピレン−１，６−ジアミン（略称：１，６ＴｈＡＰｒｎ）などが挙げられる。また、実施の形態１で例示した蛍光材料を用いることができる。
【０２０９】
＜発光層４４９に用いることのできる材料＞
発光層４４９に用いることのできる材料としては、先の実施の形態１に示す発光層１２０に用いることのできる材料を援用すればよい。
【０２１０】
また、発光層４４８に含まれる発光材料と発光層４４９に含まれる発光材料の発光色に限定は無く、同じでも異なっていても良い。各々から得られる発光が混合されて素子外へ取り出されるので、例えば両者の発光色が互いに補色の関係にある場合、発光素子は白色の光を与えることができる。発光素子の信頼性を考慮すると、発光層４４８に含まれる発光材料の発光ピーク波長は発光層４４９に含まれる発光材料のそれよりも短いことが好ましい。
【０２１１】
なお、発光層４４８及び発光層４４９は、蒸着法（真空蒸着法を含む）、インクジェット法、塗布法、グラビア印刷等の方法で形成することができる。
【０２１２】
なお、上記構成は、他の実施の形態や本実施の形態中の他の構成と適宜組み合わせることが可能である。
【０２１３】
（実施の形態４）
本実施の形態では、本発明の一態様の発光素子を有する表示装置について、図５（Ａ）（Ｂ）を用いて説明を行う。
【０２１４】
なお、図５（Ａ）は、本発明の一態様の表示装置を説明するブロック図であり、図５（Ｂ）は、本発明の一態様の表示装置が有する画素回路を説明する回路図である。
【０２１５】
＜表示装置に関する説明＞
図５（Ａ）に示す表示装置は、表示素子の画素を有する領域（以下、画素部８０２という）と、画素部８０２の外側に配置され、画素を駆動するための回路を有する回路部（以下、駆動回路部８０４という）と、素子の保護機能を有する回路（以下、保護回路８０６という）と、端子部８０７と、を有する。なお、保護回路８０６は、設けない構成としてもよい。
【０２１６】
駆動回路部８０４の一部、または全部は、画素部８０２と同一基板上に形成されていることが望ましい。これにより、部品数や端子数を減らすことが出来る。駆動回路部８０４の一部、または全部が、画素部８０２と同一基板上に形成されていない場合には、駆動回路部８０４の一部、または全部は、ＣＯＧ（Ｃｈｉｐ  Ｏｎ  Ｇｌａｓｓ）やＴＡＢ（Ｔａｐｅ  Ａｕｔｏｍａｔｅｄ  Ｂｏｎｄｉｎｇ）によって、実装することができる。
【０２１７】
画素部８０２は、Ｘ行（Ｘは２以上の自然数）Ｙ列（Ｙは２以上の自然数）に配置された複数の表示素子を駆動するための回路（以下、画素回路８０１という）を有し、駆動回路部８０４は、画素を選択する信号（走査信号）を出力する回路（以下、走査線駆動回路８０４ａという）、画素の表示素子を駆動するための信号（データ信号）を供給するための回路（以下、信号線駆動回路８０４ｂ）などの駆動回路を有する。
【０２１８】
走査線駆動回路８０４ａは、シフトレジスタ等を有する。走査線駆動回路８０４ａは、端子部８０７を介して、シフトレジスタを駆動するための信号が入力され、信号を出力する。例えば、走査線駆動回路８０４ａは、スタートパルス信号、クロック信号等が入力され、パルス信号を出力する。走査線駆動回路８０４ａは、走査信号が与えられる配線（以下、走査線ＧＬ＿１乃至ＧＬ＿Ｘという）の電位を制御する機能を有する。なお、走査線駆動回路８０４ａを複数設け、複数の走査線駆動回路８０４ａにより、走査線ＧＬ＿１乃至ＧＬ＿Ｘを分割して制御してもよい。または、走査線駆動回路８０４ａは、初期化信号を供給することができる機能を有する。ただし、これに限定されず、走査線駆動回路８０４ａは、別の信号を供給することも可能である。
【０２１９】
信号線駆動回路８０４ｂは、シフトレジスタ等を有する。信号線駆動回路８０４ｂは、端子部８０７を介して、シフトレジスタを駆動するための信号の他、データ信号の元となる信号（画像信号）が入力される。信号線駆動回路８０４ｂは、画像信号を元に画素回路８０１に書き込むデータ信号を生成する機能を有する。また、信号線駆動回路８０４ｂは、スタートパルス、クロック信号等が入力されて得られるパルス信号に従って、データ信号の出力を制御する機能を有する。また、信号線駆動回路８０４ｂは、データ信号が与えられる配線（以下、データ線ＤＬ＿１乃至ＤＬ＿Ｙという）の電位を制御する機能を有する。または、信号線駆動回路８０４ｂは、初期化信号を供給することができる機能を有する。ただし、これに限定されず、信号線駆動回路８０４ｂは、別の信号を供給することも可能である。
【０２２０】
信号線駆動回路８０４ｂは、例えば複数のアナログスイッチなどを用いて構成される。信号線駆動回路８０４ｂは、複数のアナログスイッチを順次オン状態にすることにより、画像信号を時分割した信号をデータ信号として出力できる。また、シフトレジスタなどを用いて信号線駆動回路８０４ｂを構成してもよい。
【０２２１】
複数の画素回路８０１のそれぞれは、走査信号が与えられる複数の走査線ＧＬの一つを介してパルス信号が入力され、データ信号が与えられる複数のデータ線ＤＬの一つを介してデータ信号が入力される。また、複数の画素回路８０１のそれぞれは、走査線駆動回路８０４ａによりデータ信号のデータの書き込み及び保持が制御される。例えば、ｍ行ｎ列目の画素回路８０１は、走査線ＧＬ＿ｍ（ｍはＸ以下の自然数）を介して走査線駆動回路８０４ａからパルス信号が入力され、走査線ＧＬ＿ｍの電位に応じてデータ線ＤＬ＿ｎ（ｎはＹ以下の自然数）を介して信号線駆動回路８０４ｂからデータ信号が入力される。
【０２２２】
図５（Ａ）に示す保護回路８０６は、例えば、走査線駆動回路８０４ａと画素回路８０１の間の配線である走査線ＧＬに接続される。または、保護回路８０６は、信号線駆動回路８０４ｂと画素回路８０１の間の配線であるデータ線ＤＬに接続される。または、保護回路８０６は、走査線駆動回路８０４ａと端子部８０７との間の配線に接続することができる。または、保護回路８０６は、信号線駆動回路８０４ｂと端子部８０７との間の配線に接続することができる。なお、端子部８０７は、外部の回路から表示装置に電源及び制御信号、及び画像信号を入力するための端子が設けられた部分をいう。
【０２２３】
保護回路８０６は、自身が接続する配線に一定の範囲外の電位が与えられたときに、該配線と別の配線とを導通状態にする回路である。
【０２２４】
図５（Ａ）に示すように、画素部８０２と駆動回路部８０４にそれぞれ保護回路８０６を設けることにより、ＥＳＤ（Ｅｌｅｃｔｒｏ  Ｓｔａｔｉｃ  Ｄｉｓｃｈａｒｇｅ：静電気放電）などにより発生する過電流に対する表示装置の耐性を高めることができる。ただし、保護回路８０６の構成はこれに限定されず、例えば、走査線駆動回路８０４ａに保護回路８０６を接続した構成、または信号線駆動回路８０４ｂに保護回路８０６を接続した構成とすることもできる。あるいは、端子部８０７に保護回路８０６を接続した構成とすることもできる。
【０２２５】
また、図５（Ａ）においては、走査線駆動回路８０４ａと信号線駆動回路８０４ｂによって駆動回路部８０４を形成している例を示しているが、この構成に限定されない。例えば、走査線駆動回路８０４ａのみを形成し、別途用意された信号線駆動回路が形成された基板（例えば、単結晶半導体膜、多結晶半導体膜で形成された駆動回路基板）を実装する構成としても良い。
【０２２６】
＜画素回路の構成例＞
図５（Ａ）に示す複数の画素回路８０１は、例えば、図５（Ｂ）に示す構成とすることができる。
【０２２７】
図５（Ｂ）に示す画素回路８０１は、トランジスタ８５２、８５４と、容量素子８６２と、発光素子８７２と、を有する。
【０２２８】
トランジスタ８５２のソース電極及びドレイン電極の一方は、データ信号が与えられる配線（以下、データ線ＤＬ＿ｎという）に電気的に接続される。さらに、トランジスタ８５２のゲート電極は、ゲート信号が与えられる配線（以下、走査線ＧＬ＿ｍという）に電気的に接続される。
【０２２９】
トランジスタ８５２は、データ信号のデータの書き込みを制御する機能を有する。
【０２３０】
容量素子８６２の一対の電極の一方は、電位が与えられる配線（以下、電位供給線ＶＬ＿ａという）に電気的に接続され、他方は、トランジスタ８５２のソース電極及びドレイン電極の他方に電気的に接続される。
【０２３１】
容量素子８６２は、書き込まれたデータを保持する保持容量としての機能を有する。
【０２３２】
トランジスタ８５４のソース電極及びドレイン電極の一方は、電位供給線ＶＬ＿ａに電気的に接続される。さらに、トランジスタ８５４のゲート電極は、トランジスタ８５２のソース電極及びドレイン電極の他方に電気的に接続される。
【０２３３】
発光素子８７２のアノード及びカソードの一方は、電位供給線ＶＬ＿ｂに電気的に接続され、他方は、トランジスタ８５４のソース電極及びドレイン電極の他方に電気的に接続される。
【０２３４】
発光素子８７２としては、実施の形態１乃至実施の形態３に示す発光素子を用いることができる。
【０２３５】
なお、電位供給線ＶＬ＿ａ及び電位供給線ＶＬ＿ｂの一方には、高電源電位ＶＤＤが与えられ、他方には、低電源電位ＶＳＳが与えられる。
【０２３６】
図５（Ｂ）の画素回路８０１を有する表示装置では、例えば、図５（Ａ）に示す走査線駆動回路８０４ａにより各行の画素回路８０１を順次選択し、トランジスタ８５２をオン状態にしてデータ信号のデータを書き込む。
【０２３７】
データが書き込まれた画素回路８０１は、トランジスタ８５２がオフ状態になることで保持状態になる。さらに、書き込まれたデータ信号の電位に応じてトランジスタ８５４のソース電極とドレイン電極の間に流れる電流量が制御され、発光素子８７２は、流れる電流量に応じた輝度で発光する。これを行毎に順次行うことにより、画像を表示できる。
【０２３８】
また、本発明の一態様の発光素子は、表示装置の画素に能動素子を有するアクティブマトリクス方式、または、表示装置の画素に能動素子を有しないパッシブマトリクス方式のそれぞれの方式に適用することができる。
【０２３９】
アクティブマトリクス方式では、能動素子（アクティブ素子、非線形素子）として、トランジスタだけでなく、さまざまな能動素子（アクティブ素子、非線形素子）を用いることが出来る。例えば、ＭＩＭ（Ｍｅｔａｌ  Ｉｎｓｕｌａｔｏｒ  Ｍｅｔａｌ）、又はＴＦＤ（Ｔｈｉｎ  Ｆｉｌｍ  Ｄｉｏｄｅ）などを用いることも可能である。これらの素子は、製造工程が少ないため、製造コストの低減、又は歩留まりの向上を図ることができる。または、これらの素子は、素子のサイズが小さいため、開口率を向上させることができ、低消費電力化や高輝度化をはかることが出来る。
【０２４０】
アクティブマトリクス方式以外のものとして、能動素子（アクティブ素子、非線形素子）を用いないパッシブマトリクス型を用いることも可能である。能動素子（アクティブ素子、非線形素子）を用いないため、製造工程が少ないため、製造コストの低減、又は歩留まりの向上を図ることができる。または、能動素子（アクティブ素子、非線形素子）を用いないため、開口率を向上させることができ、低消費電力化、又は高輝度化などを図ることが出来る。
【０２４１】
本実施の形態に示す構成は、他の実施の形態、または実施例に示す構成と適宜組み合わせて用いることができる。
【０２４２】
（実施の形態５）
本実施の形態においては、本発明の一態様の発光素子を有する表示装置、及び該表示装置に入力装置を取り付けた電子機器について、図６乃至図１０を用いて説明を行う。
【０２４３】
＜タッチパネルに関する説明１＞
なお、本実施の形態において、電子機器の一例として、表示装置と、入力装置とを合わせたタッチパネル２０００について説明する。また、入力装置の一例として、タッチセンサを用いる場合について説明する。
【０２４４】
図６（Ａ）（Ｂ）は、タッチパネル２０００の斜視図である。なお、図６（Ａ）（Ｂ）において、明瞭化のため、タッチパネル２０００の代表的な構成要素を示す。
【０２４５】
タッチパネル２０００は、表示装置２５０１とタッチセンサ２５９５とを有する（図６（Ｂ）参照）。また、タッチパネル２０００は、基板２５１０、基板２５７０、及び基板２５９０を有する。なお、基板２５１０、基板２５７０、及び基板２５９０はいずれも可撓性を有する。ただし、基板２５１０、基板２５７０、及び基板２５９０のいずれか一つまたは全てが可撓性を有さない構成としてもよい。
【０２４６】
表示装置２５０１は、基板２５１０上に複数の画素及び該画素に信号を供給することができる複数の配線２５１１を有する。複数の配線２５１１は、基板２５１０の外周部にまで引き回され、その一部が端子２５１９を構成している。端子２５１９はＦＰＣ２５０９（１）と電気的に接続する。
【０２４７】
基板２５９０は、タッチセンサ２５９５と、タッチセンサ２５９５と電気的に接続する複数の配線２５９８とを有する。複数の配線２５９８は、基板２５９０の外周部に引き回され、その一部は端子を構成する。そして、該端子はＦＰＣ２５０９（２）と電気的に接続される。なお、図６（Ｂ）では明瞭化のため、基板２５９０の裏面側（基板２５１０と対向する面側）に設けられるタッチセンサ２５９５の電極や配線等を実線で示している。
【０２４８】
タッチセンサ２５９５として、例えば静電容量方式のタッチセンサを適用できる。静電容量方式としては、表面型静電容量方式、投影型静電容量方式等がある。
【０２４９】
投影型静電容量方式としては、主に駆動方式の違いから自己容量方式、相互容量方式などがある。相互容量方式を用いると同時多点検出が可能となるため好ましい。
【０２５０】
なお、図６（Ｂ）に示すタッチセンサ２５９５は、投影型静電容量方式のタッチセンサを適用した構成である。
【０２５１】
なお、タッチセンサ２５９５には、指等の検知対象の近接または接触を検知することができる、様々なセンサを適用することができる。
【０２５２】
投影型静電容量方式のタッチセンサ２５９５は、電極２５９１と電極２５９２とを有する。電極２５９１は、複数の配線２５９８のいずれかと電気的に接続し、電極２５９２は複数の配線２５９８の他のいずれかと電気的に接続する。
【０２５３】
電極２５９２は、図６（Ａ）（Ｂ）に示すように、一方向に繰り返し配置された複数の四辺形が角部で接続される形状を有する。
【０２５４】
電極２５９１は四辺形であり、電極２５９２が延在する方向と交差する方向に繰り返し配置されている。
【０２５５】
配線２５９４は、電極２５９２を挟む二つの電極２５９１と電気的に接続する。このとき、電極２５９２と配線２５９４の交差部の面積ができるだけ小さくなる形状が好ましい。これにより、電極が設けられていない領域の面積を低減でき、透過率のバラツキを低減できる。その結果、タッチセンサ２５９５を透過する光の輝度のバラツキを低減することができる。
【０２５６】
なお、電極２５９１及び電極２５９２の形状はこれに限定されず、様々な形状を取りうる。例えば、複数の電極２５９１をできるだけ隙間が生じないように配置し、絶縁層を介して電極２５９２を、電極２５９１と重ならない領域ができるように離間して複数設ける構成としてもよい。このとき、隣接する２つの電極２５９２の間に、これらとは電気的に絶縁されたダミー電極を設けると、透過率の異なる領域の面積を低減できるため好ましい。
【０２５７】
＜表示装置に関する説明＞
次に、図７（Ａ）を用いて、表示装置２５０１の詳細について説明する。図７（Ａ）は、図６（Ｂ）に示す一点鎖線Ｘ１−Ｘ２間の断面図に相当する。
【０２５８】
表示装置２５０１は、マトリクス状に配置された複数の画素を有する。該画素は表示素子と、該表示素子を駆動する画素回路とを有する。
【０２５９】
以下の説明においては、白色の光を射出する発光素子を表示素子に適用する場合について説明するが、表示素子はこれに限定されない。例えば、隣接する画素毎に射出する光の色が異なるように、発光色が異なる発光素子を適用してもよい。
【０２６０】
基板２５１０及び基板２５７０としては、例えば、水蒸気の透過率が１×１０−５ｇ・ｍ−２・ｄａｙ−１以下、好ましくは１×１０−６ｇ・ｍ−２・ｄａｙ−１以下である可撓性を有する材料を好適に用いることができる。または、基板２５１０の熱膨張率と、基板２５７０の熱膨張率とが、およそ等しい材料を用いると好適である。例えば、線膨張率が１×１０−３／Ｋ以下、好ましくは５×１０−５／Ｋ以下、より好ましくは１×１０−５／Ｋ以下である材料を好適に用いることができる。
【０２６１】
なお、基板２５１０は、発光素子への不純物の拡散を防ぐ絶縁層２５１０ａと、可撓性基板２５１０ｂと、絶縁層２５１０ａ及び可撓性基板２５１０ｂを貼り合わせる接着層２５１０ｃと、を有する積層体である。また、基板２５７０は、発光素子への不純物の拡散を防ぐ絶縁層２５７０ａと、可撓性基板２５７０ｂと、絶縁層２５７０ａ及び可撓性基板２５７０ｂを貼り合わせる接着層２５７０ｃと、を有する積層体である。
【０２６２】
接着層２５１０ｃ及び接着層２５７０ｃとしては、例えば、ポリエステル、ポリオレフィン、ポリアミド（ナイロン、アラミド等）、ポリイミド、ポリカーボネートまたはアクリル樹脂、ポリウレタン、エポキシ樹脂を用いることができる。もしくは、シリコーンなどのシロキサン結合を有する樹脂を含む材料を用いることができる。
【０２６３】
また、基板２５１０と基板２５７０との間に封止層２５６０を有する。封止層２５６０は、空気より大きい屈折率を有すると好ましい。また、図７（Ａ）に示すように、封止層２５６０側に光を取り出す場合は、封止層２５６０は光学的な接合層を兼ねることができる。
【０２６４】
また、封止層２５６０の外周部にシール材を形成してもよい。当該シール材を用いることにより、基板２５１０、基板２５７０、封止層２５６０、及びシール材で囲まれた領域に発光素子２５５０Ｒを有する構成とすることができる。なお、封止層２５６０として、不活性気体（窒素やアルゴン等）を充填してもよい。また、当該不活性気体内に、乾燥材を設けて、水分等を吸着させる構成としてもよい。また、紫外線硬化樹脂または熱硬化樹脂で充填してもよく、例えば、ＰＶＣ（ポリビニルクロライド）系樹脂、アクリル系樹脂、ポリイミド系樹脂、エポキシ系樹脂、シリコーン系樹脂、ＰＶＢ（ポリビニルブチラル）系樹脂、またはＥＶＡ（エチレンビニルアセテート）系樹脂を用いることができる。また、上述のシール材としては、例えば、エポキシ系樹脂やガラスフリットを用いるのが好ましい。また、シール材に用いる材料としては、水分や酸素を透過しない材料を用いると好適である。
【０２６５】
また、表示装置２５０１は、画素２５０２Ｒを有する。また、画素２５０２Ｒは発光モジュール２５８０Ｒを有する。
【０２６６】
画素２５０２Ｒは、発光素子２５５０Ｒと、発光素子２５５０Ｒに電力を供給することができるトランジスタ２５０２ｔとを有する。なお、トランジスタ２５０２ｔは、画素回路の一部として機能する。また、発光モジュール２５８０Ｒは、発光素子２５５０Ｒと、着色層２５６７Ｒとを有する。
【０２６７】
発光素子２５５０Ｒは、下部電極と、上部電極と、下部電極と上部電極の間にＥＬ層とを有する。発光素子２５５０Ｒとして、例えば、実施の形態１乃至実施の形態３に示す発光素子を適用することができる。
【０２６８】
また、下部電極と上部電極との間で、マイクロキャビティ構造を採用し、特定波長における光強度を増加させてもよい。
【０２６９】
また、封止層２５６０が光を取り出す側に設けられている場合、封止層２５６０は、発光素子２５５０Ｒと着色層２５６７Ｒに接する。
【０２７０】
着色層２５６７Ｒは、発光素子２５５０Ｒと重なる位置にある。これにより、発光素子２５５０Ｒが発する光の一部は着色層２５６７Ｒを透過して、図中に示す矢印の方向の発光モジュール２５８０Ｒの外部に射出される。
【０２７１】
また、表示装置２５０１には、光を射出する方向に遮光層２５６７ＢＭが設けられる。遮光層２５６７ＢＭは、着色層２５６７Ｒを囲むように設けられている。
【０２７２】
着色層２５６７Ｒとしては、特定の波長帯域の光を透過する機能を有していればよく、例えば、赤色の波長帯域の光を透過するカラーフィルタ、緑色の波長帯域の光を透過するカラーフィルタ、青色の波長帯域の光を透過するカラーフィルタ、黄色の波長帯域の光を透過するカラーフィルタなどを用いることができる。各カラーフィルタは、様々な材料を用いて、印刷法、インクジェット法、フォトリソグラフィ技術を用いたエッチング方法などで形成することができる。
【０２７３】
また、表示装置２５０１には、絶縁層２５２１が設けられる。絶縁層２５２１はトランジスタ２５０２ｔを覆う。なお、絶縁層２５２１は、画素回路に起因する凹凸を平坦化するための機能を有する。また、絶縁層２５２１に不純物の拡散を抑制できる機能を付与してもよい。これにより、不純物の拡散によるトランジスタ２５０２ｔ等の信頼性の低下を抑制できる。
【０２７４】
また、発光素子２５５０Ｒは、絶縁層２５２１の上方に形成される。また、発光素子２５５０Ｒが有する下部電極には、該下部電極の端部に重なる隔壁２５２８が設けられる。なお、基板２５１０と、基板２５７０との間隔を制御するスペーサを、隔壁２５２８上に形成してもよい。
【０２７５】
走査線駆動回路２５０３ｇ（１）は、トランジスタ２５０３ｔと、容量素子２５０３ｃとを有する。なお、駆動回路を画素回路と同一の工程で同一基板上に形成することができる。
【０２７６】
また、基板２５１０上には、信号を供給することができる配線２５１１が設けられる。また、配線２５１１上には、端子２５１９が設けられる。また、端子２５１９には、ＦＰＣ２５０９（１）が電気的に接続される。また、ＦＰＣ２５０９（１）は、ビデオ信号、クロック信号、スタート信号、リセット信号等を供給する機能を有する。なお、ＦＰＣ２５０９（１）にはプリント配線基板（ＰＷＢ：Ｐｒｉｎｔｅｄ  Ｗｉｒｉｎｇ  Ｂｏａｒｄ）が取り付けられていても良い。
【０２７７】
また、表示装置２５０１には、様々な構造のトランジスタを適用することができる。図７（Ａ）においては、ボトムゲート型のトランジスタを適用する場合について、例示しているが、これに限定されず、例えば、図７（Ｂ）に示す、トップゲート型のトランジスタを表示装置２５０１に適用する構成としてもよい。
【０２７８】
また、トランジスタ２５０２ｔ及びトランジスタ２５０３ｔの極性については、特に限定はなく、Ｎ型およびＰ型のトランジスタを有する構造、Ｎ型のトランジスタまたはＰ型のトランジスタのいずれか一方のみからなる構造を用いてもよい。また、トランジスタ２５０２ｔ及び２５０３ｔに用いられる半導体膜の結晶性についても特に限定はない。例えば、非晶質半導体膜、結晶性半導体膜を用いることができる。また、半導体材料としては、１３族の半導体（例えば、ガリウムを有する半導体）、１４族の半導体（例えば、ケイ素を有する半導体）、化合物半導体（酸化物半導体を含む）、有機半導体等を用いることができる。トランジスタ２５０２ｔ及びトランジスタ２５０３ｔのいずれか一方または双方に、エネルギーギャップが２ｅＶ以上、好ましくは２．５ｅＶ以上、さらに好ましくは３ｅＶ以上の酸化物半導体を用いることで、トランジスタのオフ電流を低減することができるため好ましい。当該酸化物半導体としては、Ｉｎ−Ｇａ酸化物、Ｉｎ−Ｍ−Ｚｎ酸化物（Ｍは、アルミニウム（Ａｌ）、ガリウム（Ｇａ）、イットリウム（Ｙ）、ジルコニウム（Ｚｒ）、ランタン（Ｌａ）、セリウム（Ｃｅ）、スズ（Ｓｎ）、ハフニウム（Ｈｆ）、またはネオジム（Ｎｄ）を表す）等が挙げられる。
【０２７９】
＜タッチセンサに関する説明＞
次に、図７（Ｃ）を用いて、タッチセンサ２５９５の詳細について説明する。図７（Ｃ）は、図６（Ｂ）に示す一点鎖線Ｘ３−Ｘ４間の断面図に相当する。
【０２８０】
タッチセンサ２５９５は、基板２５９０上に千鳥状に配置された電極２５９１及び電極２５９２と、電極２５９１及び電極２５９２を覆う絶縁層２５９３と、隣り合う電極２５９１を電気的に接続する配線２５９４とを有する。
【０２８１】
電極２５９１及び電極２５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０２８２】
例えば、透光性を有する導電性材料を基板２５９０上にスパッタリング法により成膜した後、フォトリソグラフィ法等の様々なパターン形成技術により、不要な部分を除去して、電極２５９１及び電極２５９２を形成することができる。
【０２８３】
また、絶縁層２５９３に用いる材料としては、例えば、アクリル、エポキシなどの樹脂、シロキサン結合を有する樹脂の他、酸化シリコン、酸化窒化シリコン、酸化アルミニウムなどの無機絶縁材料を用いることもできる。
【０２８４】
また、電極２５９１に達する開口が絶縁層２５９３に設けられ、配線２５９４が隣接する電極２５９１と電気的に接続する。透光性の導電性材料は、タッチパネルの開口率を高めることができるため、配線２５９４に好適に用いることができる。また、電極２５９１及び電極２５９２より導電性の高い材料は、電気抵抗を低減できるため配線２５９４に好適に用いることができる。
【０２８５】
電極２５９２は、一方向に延在し、複数の電極２５９２がストライプ状に設けられている。また、配線２５９４は電極２５９２と交差して設けられている。
【０２８６】
一対の電極２５９１が１つの電極２５９２を挟んで設けられる。また、配線２５９４は一対の電極２５９１を電気的に接続している。
【０２８７】
なお、複数の電極２５９１は、１つの電極２５９２と必ずしも直交する方向に配置される必要はなく、０度を超えて９０度未満の角度をなすように配置されてもよい。
【０２８８】
また、配線２５９８は、電極２５９１または電極２５９２と電気的に接続される。また、配線２５９８の一部は、端子として機能する。配線２５９８としては、例えば、アルミニウム、金、白金、銀、ニッケル、チタン、タングステン、クロム、モリブデン、鉄、コバルト、銅、またはパラジウム等の金属材料や、該金属材料を含む合金材料を用いることができる。
【０２８９】
なお、絶縁層２５９３及び配線２５９４を覆う絶縁層を設けて、タッチセンサ２５９５を保護してもよい。
【０２９０】
また、接続層２５９９は、配線２５９８とＦＰＣ２５０９（２）を電気的に接続させる。
【０２９１】
接続層２５９９としては、異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０２９２】
＜タッチパネルに関する説明２＞
次に、図８（Ａ）を用いて、タッチパネル２０００の詳細について説明する。図８（Ａ）は、図６（Ａ）に示す一点鎖線Ｘ５−Ｘ６間の断面図に相当する。
【０２９３】
図８（Ａ）に示すタッチパネル２０００は、図７（Ａ）で説明した表示装置２５０１と、図７（Ｃ）で説明したタッチセンサ２５９５と、を貼り合わせた構成である。
【０２９４】
また、図８（Ａ）に示すタッチパネル２０００は、図７（Ａ）及び図７（Ｃ）で説明した構成の他、接着層２５９７と、反射防止層２５６７ｐと、を有する。
【０２９５】
接着層２５９７は、配線２５９４と接して設けられる。なお、接着層２５９７は、タッチセンサ２５９５が表示装置２５０１に重なるように、基板２５９０を基板２５７０に貼り合わせている。また、接着層２５９７は、透光性を有すると好ましい。また、接着層２５９７としては、熱硬化性樹脂、または紫外線硬化樹脂を用いることができる。例えば、アクリル系樹脂、ウレタン系樹脂、エポキシ系樹脂、またはシロキサン系樹脂を用いることができる。
【０２９６】
反射防止層２５６７ｐは、画素に重なる位置に設けられる。反射防止層２５６７ｐとして、例えば円偏光板を用いることができる。
【０２９７】
次に、図８（Ａ）に示す構成と異なる構成のタッチパネルについて、図８（Ｂ）を用いて説明する。
【０２９８】
図８（Ｂ）は、タッチパネル２００１の断面図である。図８（Ｂ）に示すタッチパネル２００１は、図８（Ａ）に示すタッチパネル２０００と、表示装置２５０１に対するタッチセンサ２５９５の位置が異なる。ここでは異なる構成について詳細に説明し、同様の構成を用いることができる部分は、タッチパネル２０００の説明を援用する。
【０２９９】
着色層２５６７Ｒは、発光素子２５５０Ｒと重なる位置にある。また、図８（Ｂ）に示す発光素子２５５０Ｒは、トランジスタ２５０２ｔが設けられている側に光を射出する。これにより、発光素子２５５０Ｒが発する光の一部は、着色層２５６７Ｒを透過して、図中に示す矢印の方向の発光モジュール２５８０Ｒの外部に射出される。
【０３００】
また、タッチセンサ２５９５は、表示装置２５０１の基板２５１０側に設けられている。
【０３０１】
接着層２５９７は、基板２５１０と基板２５９０の間にあり、表示装置２５０１とタッチセンサ２５９５を貼り合わせる。
【０３０２】
図８（Ａ）（Ｂ）に示すように、発光素子から射出される光は、基板の上面及び下面のいずれか一方または双方に射出されればよい。
【０３０３】
＜タッチパネルの駆動方法に関する説明＞
次に、タッチパネルの駆動方法の一例について、図９を用いて説明を行う。
【０３０４】
図９（Ａ）は、相互容量方式のタッチセンサの構成を示すブロック図である。図９（Ａ）では、パルス電圧出力回路２６０１、電流検出回路２６０２を示している。なお、図９（Ａ）では、パルス電圧が与えられる電極２６２１をＸ１−Ｘ６として、電流の変化を検知する電極２６２２をＹ１−Ｙ６として、それぞれ６本の配線で例示している。また、図９（Ａ）は、電極２６２１と、電極２６２２とが重畳することで形成される容量２６０３を示している。なお、電極２６２１と電極２６２２とはその機能を互いに置き換えてもよい。
【０３０５】
パルス電圧出力回路２６０１は、Ｘ１−Ｘ６の配線に順にパルスを印加するための回路である。Ｘ１−Ｘ６の配線にパルス電圧が印加されることで、容量２６０３を形成する電極２６２１と電極２６２２との間に電界が生じる。この電極間に生じる電界が遮蔽等により容量２６０３の相互容量に変化を生じさせることを利用して、被検知体の近接、または接触を検出することができる。
【０３０６】
電流検出回路２６０２は、容量２６０３での相互容量の変化による、Ｙ１−Ｙ６の配線での電流の変化を検出するための回路である。Ｙ１−Ｙ６の配線では、被検知体の近接、または接触がないと検出される電流値に変化はないが、検出する被検知体の近接、または接触により相互容量が減少する場合には電流値が減少する変化を検出する。なお電流の検出は、積分回路等を用いて行えばよい。
【０３０７】
次に、図９（Ｂ）には、図９（Ａ）で示す相互容量方式のタッチセンサにおける入出力波形のタイミングチャートを示す。図９（Ｂ）では、１フレーム期間で各行列での被検知体の検出を行うものとする。また図９（Ｂ）では、被検知体を検出しない場合（非タッチ）と被検知体を検出する場合（タッチ）との２つの場合について示している。なおＹ１−Ｙ６の配線については、検出される電流値に対応する電圧値とした波形を示している。
【０３０８】
Ｘ１−Ｘ６の配線には、順にパルス電圧が与えられ、該パルス電圧にしたがってＹ１−Ｙ６の配線での波形が変化する。被検知体の近接または接触がない場合には、Ｘ１−Ｘ６の配線の電圧の変化に応じてＹ１−Ｙ６の波形が一様に変化する。一方、被検知体が近接または接触する箇所では、電流値が減少するため、これに対応する電圧値の波形も変化する。
【０３０９】
このように、相互容量の変化を検出することにより、被検知体の近接または接触を検知することができる。
【０３１０】
＜センサ回路に関する説明＞
また、図９（Ａ）ではタッチセンサとして配線の交差部に容量２６０３のみを設けるパッシブマトリクス型のタッチセンサの構成を示したが、トランジスタと容量とを有するアクティブマトリクス型のタッチセンサとしてもよい。アクティブマトリクス型のタッチセンサに含まれるセンサ回路の一例を図１０に示す。
【０３１１】
図１０に示すセンサ回路は、容量２６０３と、トランジスタ２６１１と、トランジスタ２６１２と、トランジスタ２６１３とを有する。
【０３１２】
トランジスタ２６１３はゲートに信号Ｇ２が与えられ、ソースまたはドレインの一方に電圧ＶＲＥＳが与えられ、他方が容量２６０３の一方の電極およびトランジスタ２６１１のゲートと電気的に接続する。トランジスタ２６１１は、ソースまたはドレインの一方がトランジスタ２６１２のソースまたはドレインの一方と電気的に接続し、他方に電圧ＶＳＳが与えられる。トランジスタ２６１２は、ゲートに信号Ｇ１が与えられ、ソースまたはドレインの他方が配線ＭＬと電気的に接続する。容量２６０３の他方の電極には電圧ＶＳＳが与えられる。
【０３１３】
次に、図１０に示すセンサ回路の動作について説明する。まず、信号Ｇ２としてトランジスタ２６１３をオン状態とする電位が与えられることで、トランジスタ２６１１のゲートが接続されるノードｎに電圧ＶＲＥＳに対応した電位が与えられる。次に、信号Ｇ２としてトランジスタ２６１３をオフ状態とする電位が与えられることで、ノードｎの電位が保持される。
【０３１４】
続いて、指等の被検知体の近接または接触により、容量２６０３の相互容量が変化することに伴い、ノードｎの電位がＶＲＥＳから変化する。
【０３１５】
読み出し動作は、信号Ｇ１にトランジスタ２６１２をオン状態とする電位を与える。ノードｎの電位に応じてトランジスタ２６１１に流れる電流、すなわち配線ＭＬに流れる電流が変化する。この電流を検出することにより、被検知体の近接または接触を検出することができる。
【０３１６】
トランジスタ２６１１、トランジスタ２６１２、及びトランジスタ２６１３としては、酸化物半導体層をチャネル領域が形成される半導体層に用いることが好ましい。とくにトランジスタ２６１３にこのようなトランジスタを適用することにより、ノードｎの電位を長期間に亘って保持することが可能となり、ノードｎにＶＲＥＳを供給しなおす動作（リフレッシュ動作）の頻度を減らすことができる。
【０３１７】
本実施の形態に示す構成は、他の実施の形態、または実施例に示す構成と適宜組み合わせて用いることができる。
【０３１８】
（実施の形態６）
本実施の形態では、本発明の一態様の発光素子を有する表示モジュール及び電子機器について、図１１及び図１２を用いて説明を行う。
【０３１９】
＜表示モジュールに関する説明＞
図１１に示す表示モジュール８０００は、上部カバー８００１と下部カバー８００２との間に、ＦＰＣ８００３に接続されたタッチセンサ８００４、ＦＰＣ８００５に接続された表示装置８００６、フレーム８００９、プリント基板８０１０、バッテリ８０１１を有する。
【０３２０】
本発明の一態様の発光素子は、例えば、表示装置８００６に用いることができる。
【０３２１】
上部カバー８００１及び下部カバー８００２は、タッチセンサ８００４及び表示装置８００６のサイズに合わせて、形状や寸法を適宜変更することができる。
【０３２２】
タッチセンサ８００４は、抵抗膜方式または静電容量方式のタッチセンサを表示装置８００６に重畳して用いることができる。また、表示装置８００６の対向基板（封止基板）に、タッチセンサ機能を持たせるようにすることも可能である。また、表示装置８００６の各画素内に光センサを設け、光学式のタッチセンサとすることも可能である。
【０３２３】
フレーム８００９は、表示装置８００６の保護機能の他、プリント基板８０１０の動作により発生する電磁波を遮断するための電磁シールドとしての機能を有する。またフレーム８００９は、放熱板としての機能を有していてもよい。
【０３２４】
プリント基板８０１０は、電源回路、ビデオ信号及びクロック信号を出力するための信号処理回路を有する。電源回路に電力を供給する電源としては、外部の商用電源であっても良いし、別途設けたバッテリ８０１１による電源であってもよい。バッテリ８０１１は、商用電源を用いる場合には、省略可能である。
【０３２５】
また、表示モジュール８０００は、偏光板、位相差板、プリズムシートなどの部材を追加して設けてもよい。
【０３２６】
＜電子機器に関する説明＞
図１２（Ａ）乃至図１２（Ｇ）は、電子機器を示す図である。これらの電子機器は、筐体９０００、表示部９００１、スピーカ９００３、操作キー９００５（電源スイッチ、又は操作スイッチを含む）、接続端子９００６、センサ９００７（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線を測定する機能を含むもの）、マイクロフォン９００８、等を有することができる。
【０３２７】
図１２（Ａ）乃至図１２（Ｇ）に示す電子機器は、様々な機能を有することができる。例えば、様々な情報（静止画、動画、テキスト画像など）を表示部に表示する機能、タッチセンサ機能、カレンダー、日付または時刻などを表示する機能、様々なソフトウェア（プログラム）によって処理を制御する機能、無線通信機能、無線通信機能を用いて様々なコンピュータネットワークに接続する機能、無線通信機能を用いて様々なデータの送信または受信を行う機能、記録媒体に記録されているプログラムまたはデータを読み出して表示部に表示する機能、等を有することができる。なお、図１２（Ａ）乃至図１２（Ｇ）に示す電子機器が有することのできる機能はこれらに限定されず、様々な機能を有することができる。また、図１２（Ａ）乃至図１２（Ｇ）には図示していないが、電子機器には、複数の表示部を有する構成としてもよい。また、該電子機器にカメラ等を設け、静止画を撮影する機能、動画を撮影する機能、撮影した画像を記録媒体（外部またはカメラに内蔵）に保存する機能、撮影した画像を表示部に表示する機能、等を有していてもよい。
【０３２８】
図１２（Ａ）乃至図１２（Ｇ）に示す電子機器の詳細について、以下説明を行う。
【０３２９】
図１２（Ａ）は、携帯情報端末９１００を示す斜視図である。携帯情報端末９１００が有する表示部９００１は、可撓性を有する。そのため、湾曲した筐体９０００の湾曲面に沿って表示部９００１を組み込むことが可能である。また、表示部９００１はタッチセンサを備え、指やスタイラスなどで画面に触れることで操作することができる。例えば、表示部９００１に表示されたアイコンに触れることで、アプリケーションを起動することができる。
【０３３０】
図１２（Ｂ）は、携帯情報端末９１０１を示す斜視図である。携帯情報端末９１０１は、例えば電話機、手帳又は情報閲覧装置等から選ばれた一つ又は複数の機能を有する。具体的には、スマートフォンとして用いることができる。なお、携帯情報端末９１０１は、スピーカ９００３、接続端子９００６、センサ９００７等を省略して図示しているが、図１２（Ａ）に示す携帯情報端末９１００と同様の位置に設けることができる。また、携帯情報端末９１０１は、文字や画像情報をその複数の面に表示することができる。例えば、３つの操作ボタン９０５０（操作アイコンまたは単にアイコンともいう）を表示部９００１の一の面に表示することができる。また、破線の矩形で示す情報９０５１を表示部９００１の他の面に表示することができる。なお、情報９０５１の一例としては、電子メールやＳＮＳ（ソーシャル・ネットワーキング・サービス）や電話などの着信を知らせる表示、電子メールやＳＮＳなどの題名、電子メールやＳＮＳなどの送信者名、日時、時刻、バッテリの残量、アンテナ受信の強度などがある。または、情報９０５１が表示されている位置に、情報９０５１の代わりに、操作ボタン９０５０などを表示してもよい。
【０３３１】
図１２（Ｃ）は、携帯情報端末９１０２を示す斜視図である。携帯情報端末９１０２は、表示部９００１の３面以上に情報を表示する機能を有する。ここでは、情報９０５２、情報９０５３、情報９０５４がそれぞれ異なる面に表示されている例を示す。例えば、携帯情報端末９１０２の使用者は、洋服の胸ポケットに携帯情報端末９１０２を収納した状態で、その表示（ここでは情報９０５３）を確認することができる。具体的には、着信した電話の発信者の電話番号又は氏名等を、携帯情報端末９１０２の上方から観察できる位置に表示する。使用者は、携帯情報端末９１０２をポケットから取り出すことなく、表示を確認し、電話を受けるか否かを判断できる。
【０３３２】
図１２（Ｄ）は、腕時計型の携帯情報端末９２００を示す斜視図である。携帯情報端末９２００は、移動電話、電子メール、文章閲覧及び作成、音楽再生、インターネット通信、コンピュータゲームなどの種々のアプリケーションを実行することができる。また、表示部９００１はその表示面が湾曲して設けられ、湾曲した表示面に沿って表示を行うことができる。また、携帯情報端末９２００は、通信規格された近距離無線通信を実行することが可能である。例えば無線通信可能なヘッドセットと相互通信することによって、ハンズフリーで通話することもできる。また、携帯情報端末９２００は、接続端子９００６を有し、他の情報端末とコネクターを介して直接データのやりとりを行うことができる。また接続端子９００６を介して充電を行うこともできる。なお、充電動作は接続端子９００６を介さずに無線給電により行ってもよい。
【０３３３】
図１２（Ｅ）（Ｆ）（Ｇ）は、折り畳み可能な携帯情報端末９２０１を示す斜視図である。また、図１２（Ｅ）が携帯情報端末９２０１を展開した状態の斜視図であり、図１２（Ｆ）が携帯情報端末９２０１を展開した状態または折り畳んだ状態の一方から他方に変化する途中の状態の斜視図であり、図１２（Ｇ）が携帯情報端末９２０１を折り畳んだ状態の斜視図である。携帯情報端末９２０１は、折り畳んだ状態では可搬性に優れ、展開した状態では、継ぎ目のない広い表示領域により表示の一覧性に優れる。携帯情報端末９２０１が有する表示部９００１は、ヒンジ９０５５によって連結された３つの筐体９０００に支持されている。ヒンジ９０５５を介して２つの筐体９０００間を屈曲させることにより、携帯情報端末９２０１を展開した状態から折りたたんだ状態に可逆的に変形させることができる。例えば、携帯情報端末９２０１は、曲率半径１ｍｍ以上１５０ｍｍ以下で曲げることができる。
【０３３４】
本実施の形態において述べた電子機器は、何らかの情報を表示するための表示部を有することを特徴とする。ただし、本発明の一態様の発光素子は、表示部を有さない電子機器にも適用することができる。また、本実施の形態において述べた電子機器の表示部においては、可撓性を有し、湾曲した表示面に沿って表示を行うことができる構成、または折り畳み可能な表示部の構成について例示したが、これに限定されず、可撓性を有さず、平面部に表示を行う構成としてもよい。
【０３３５】
本実施の形態に示す構成は、他の実施の形態、または実施例に示す構成と適宜組み合わせて用いることができる。
【０３３６】
（実施の形態７）
本実施の形態では、本発明の一態様である発光素子を適用した照明装置の一例について、図１３を用いて説明する。
【０３３７】
図１３は、発光素子を室内の照明装置８５０１として用いた例である。なお、発光素子は大面積化も可能であるため、大面積の照明装置を形成することもできる。その他、曲面を有する筐体を用いることで、発光領域が曲面を有する照明装置８５０２を形成することもできる。本実施の形態で示す発光素子は薄膜状であり、筐体のデザインの自由度が高い。したがって、様々な意匠を凝らした照明装置を形成することができる。さらに、室内の壁面に大型の照明装置８５０３を備えても良い。また、照明装置８５０１、８５０２、８５０３に、タッチセンサを設けて、電源のオンまたはオフを行ってもよい。
【０３３８】
また、発光素子をテーブルの表面側に用いることによりテーブルとしての機能を備えた照明装置８５０４とすることができる。なお、その他の家具の一部に発光素子を用いることにより、家具としての機能を備えた照明装置とすることができる。
【０３３９】
以上のように、発光素子を適用した様々な照明装置が得られる。なお、これらの照明装置は本発明の一態様に含まれるものとする。
【０３４０】
また、本実施の形態に示す構成は、他の実施の形態に示した構成と適宜組み合わせて用いることができる。
【実施例１】
【０３４１】
本実施例では、熱活性化遅延蛍光体（第１の有機化合物）とホスト材料（第２の有機化合物）と蛍光を発するゲスト材料とを混合して発光層に用いた発光素子（発光素子１及び発光素子２）の作製例を示す。本実施例で作製した発光素子の断面模式図を図１４に、素子構造の詳細を表４に、それぞれ示す。また、使用した化合物の構造と略称を以下に示す。なお、その他の化合物については、先の実施の形態１を参酌すればよい。
【０３４２】
【化４】
0006785544.tif 000011
【０３４３】
【表４】
0006785544.tif 000012
【０３４４】
以下に、発光素子１及び発光素子２の作製方法を示す。
【０３４５】
＜発光素子１の作製＞
基板５２０上に電極５０１として、酸化珪素を含むインジウム錫酸化物（略称：ＩＴＳＯ）をスパッタリング法にて、厚さ１１０ｎｍになるよう形成した。なお、電極５０１の電極面積としては、４ｍｍ２（２ｍｍ×２ｍｍ）とした。
【０３４６】
次に、基板５２０上に発光素子を形成するため、前処理として、基板表面を水で洗浄し、２００℃で１時間熱処理した後、ＵＶオゾン処理を３７０秒行った。
【０３４７】
次に、電極５０１が形成された面が下方となるよう、電極５０１が形成された基板５２０を、１×１０−４Ｐａ程度まで減圧した真空蒸着装置内に設けられた基板ホルダーに、固定した。その後、電極５０１上に正孔注入層５３１として、ＤＢＴ３Ｐ−ＩＩと、酸化モリブデン（ＭｏＯ３）と、を重量比（ＤＢＴ３Ｐ−ＩＩ：ＭｏＯ３）が１：０．５となるよう、且つ厚さが７０ｎｍになるよう共蒸着した。
【０３４８】
次に、正孔注入層５３１上に正孔輸送層５３２として、ＰｈＣｚＧＩを厚さ２０ｎｍになるよう蒸着した。
【０３４９】
次に、正孔輸送層５３２上に発光層５２１として、ＰＣＣｚＰＴｚｎと、４，６ｍＣｚＰ２Ｐｍと、１，６ｍＭｅｍＦＬＰＡＰｒｎと、を重量比（ＰＣＣｚＰＴｚｎ：４，６ｍＣｚＰ２Ｐｍ：１，６ｍＭｅｍＦＬＰＡＰｒｎ）が０．３：０．７：０．００２５になるよう、且つ厚さが３０ｎｍになるよう共蒸着した。なお、発光層５２１において、ＰＣＣｚＰＴｚｎが熱活性化遅延蛍光体（第１の有機化合物）であり、４，６ｍＣｚＰ２Ｐｍがホスト材料（第２の有機化合物）であり、１，６ｍＭｅｍＦＬＰＡＰｒｎがゲスト材料である。
【０３５０】
次に、発光層５２１上に電子輸送層５３３ａ、５３３ｂ、として、４，６ｍＣｚＰ２Ｐｍと、バソフェナントロリン（略称：Ｂｐｈｅｎ）と、をそれぞれ厚さが１５ｎｍずつになるよう順次蒸着した。
【０３５１】
次に、電子輸送層５３３ｂ上に電子注入層５３４として、フッ化リチウム（略称：ＬｉＦ）を厚さが１ｎｍになるよう蒸着した。
【０３５２】
次に、電子注入層５３４上に電極５０２として、アルミニウム（Ａｌ）を、厚さが２００ｎｍになるよう蒸着した。
【０３５３】
以上の工程により、基板５２０上に形成される構造を作製した。なお、上述した成膜過程において、蒸着は全て抵抗加熱法を用いた。
【０３５４】
次に、窒素雰囲気のグローブボックス内において、有機ＥＬ用の封止材を用いて封止基板を基板５２０上に固定することで、発光素子を封止した。具体的には、封止材を発光素子の周囲に塗布し、基板５２０と封止基板とを貼り合わせ、波長が３６５ｎｍの紫外光を６Ｊ／ｃｍ２照射し、８０℃にて１時間熱処理した。以上の工程により、発光素子１を得た。
【０３５５】
＜発光素子２の作製＞
発光素子２は、先に示す発光素子１の作製と、ゲスト材料のみ異なり、それ以外の工程は発光素子１と同様の作製方法とした。発光素子２のゲスト材料には、ＴＢＰを用いた。
【０３５６】
すなわち、発光素子２の発光層５２１として、ＰＣＣｚＰＴｚｎと、４，６ｍＣｚＰ２Ｐｍと、ＴＢＰと、を重量比（ＰＣＣｚＰＴｚｎ：４，６ｍＣｚＰ２Ｐｍ：ＴＢＰ）が０．３：０．７：０．００２５になるよう、且つ厚さが３０ｎｍになるよう共蒸着した。なお、発光層５２１において、ＰＣＣｚＰＴｚｎが熱活性化遅延蛍光体（第１の有機化合物）であり、４，６ｍＣｚＰ２Ｐｍがホスト材料（第２の有機化合物）であり、ＴＢＰがゲスト材料である。
【０３５７】
＜過渡蛍光特性の測定＞
ここで、本実施例の発光素子（発光素子１及び発光素子２）においてホスト材料として用いたＰＣＣｚＰＴｚｎについて、時間分解発光測定による過渡蛍光特性の測定を行った。
【０３５８】
時間分解発光測定は、石英基板上にＰＣＣｚＰＴｚｎを厚さが５０ｎｍになるよう蒸着した薄膜サンプルを用いて測定を行った。また、窒素雰囲気のグローブボックス内において、有機ＥＬ用封止材を用いて、該薄膜サンプルを成膜した石英基板上に封止基板を固定することで、該薄膜サンプルを封止した。具体的には、石英基板に形成した薄膜の周囲に封止材を塗布し、該石英基板と封止基板とを貼り合せ、波長が３６５ｎｍの紫外光を６Ｊ／ｃｍ２照射し、８０℃にて１時間熱処理した。
【０３５９】
測定にはピコ秒蛍光寿命測定システム（浜松ホトニクス社製）を用いた。本測定では、薄膜が呈する蛍光発光の寿命を測定するため、薄膜にパルスレーザを照射し、レーザ照射後から減衰していく発光をストリークカメラにより時間分解測定した。パルスレーザには波長が３３７ｎｍの窒素ガスレーザーを用い、パルス幅が５００ｐｓのパルスレーザを１０Ｈｚの周期で薄膜に照射し、繰り返し測定したデータを積算することにより、Ｓ／Ｎ比の高いデータを得た。また、測定は室温（２３℃に保たれた雰囲気）で行った。
【０３６０】
測定によって得られたＰＣＣｚＰＴｚｎの過渡蛍光特性を図１５に示す。
【０３６１】
また、図１５に示す減衰曲線について、以下の数式（４）を用いてフィッティングを行った。
【０３６２】
【数４】
0006785544.tif 000013
【０３６３】
数式（４）において、Ｌは規格化した発光強度を表し、ｔは経過時間を表す。減衰曲線のフィッティングを行った結果、ｎが１乃至３でフィッティングを行うことができた。減衰曲線のフィッティング結果から、ＰＣＣｚＰＴｚｎの薄膜サンプルの発光成分には、蛍光寿命が０．０１５μｓの蛍光成分と、１．５μｓの遅延蛍光成分が含まれていることが分かった。すなわち、ＰＣＣｚＰＴｚｎは、室温で遅延蛍光を示す、熱活性化遅延蛍光体であることが分かった。
【０３６４】
＜発光素子の特性＞
次に、上記作製した発光素子１及び発光素子２の電流効率−輝度特性を図１６に、電流−電圧特性を図１７に、外部量子効率−輝度特性を図１８に、それぞれ示す。なお、各発光素子の測定は、室温（２３℃に保たれた雰囲気）で行った。
【０３６５】
また、１０００ｃｄ／ｍ２付近における、発光素子１及び発光素子２の素子特性を表５に示す。
【０３６６】
【表５】
0006785544.tif 000014
【０３６７】
また、発光素子１及び発光素子２に２．５ｍＡ／ｃｍ２の電流密度で電流を流した際の電界発光スペクトルを図１９に示す。図１９より、発光素子１及び発光素子２は、それぞれゲスト材料に由来する青色の発光を呈していることが分かった。
【０３６８】
また、図１６乃至図１８に示すように、発光素子１及び発光素子２は駆動電圧が低く、発光効率が高い素子特性を示した。特に、発光素子２は、最大で１０％を超える外部量子効率を示している。ゲスト材料に蛍光材料を用い、一重項励起状態からのエネルギーのみを発光に用いる場合、発光素子の内部から外部への光取り出し効率が２５％であると仮定すると、発光素子の外部量子効率は、最大で６％程度となる。一方、本発明の一態様を用いた発光素子１及び発光素子２は、より高い外部量子効率を示した。これは、熱活性化遅延蛍光体にて再結合したキャリアによって生成した三重項励起状態が、逆項間交差によって一重項励起状態に変換されたためである。
【０３６９】
また、発光素子１及び発光素子２において、実施の形態１における表１で示したように、熱活性化遅延蛍光体のＨＯＭＯは、ホスト材料のＨＯＭＯ以上のエネルギー準位を有し、熱活性化遅延蛍光体のＬＵＭＯは、ホスト材料のＬＵＭＯ以下のエネルギー準位を有している。また、実施の形態１における表２で示したように、熱活性化遅延蛍光体の酸化電位は、ホスト材料の酸化電位以下であり、熱活性化遅延蛍光体の還元電位は、ホスト材料の還元電位以上となっているため、当該酸化電位及び還元電位から見積もられたＨＯＭＯ及びＬＵＭＯのエネルギー準位は、熱活性化遅延蛍光体のＨＯＭＯは、ホスト材料のＨＯＭＯ以上のエネルギー準位を有し、熱活性化遅延蛍光体のＬＵＭＯは、ホスト材料のＬＵＭＯ以下のエネルギー準位を有している。
【０３７０】
また、１，６ｍＭｅｍＦＬＰＡＰｒｎの三重項励起エネルギー準位を、実施の形態１で示した方法と同様の方法にて測定した結果、１．８４ｅＶであった。したがって、実施の形態１の表３で示したように、本実施例で用いた熱活性化遅延蛍光体（ＰＣＣｚＰＴｚｎ）及びホスト材料（４，６ｍＣｚＰ２Ｐｍ）の三重項励起エネルギー準位は、ゲスト材料の三重項励起エネルギー準位より高い。
【０３７１】
したがって、発光素子１及び発光素子２においては、熱活性化遅延蛍光体で効率よくキャリアが再結合し、生成した一重項励起状態および三重項励起状態のエネルギーの双方が、効率よくゲスト材料にエネルギー移動することができる。そのため、発光素子１及び発光素子２は、高い発光効率を示す結果が得られている。
【０３７２】
また、発光素子１及び発光素子２が高い発光効率を示したことから、ホスト材料と熱活性化遅延蛍光体との重量比（ホスト材料：熱活性化遅延蛍光体）は、１：０．０５から１：０．５が好ましく、ホスト材料とゲスト材料の重量比（ホスト材料：ゲスト材料）は、１：０．００１から１：０．０１が好ましい、ことが示された。
【０３７３】
以上のように、本発明の一態様の構成を用いることで、高い発光効率を有する発光素子を作製することができる。
【実施例２】
【０３７４】
本実施例では、熱活性化遅延蛍光体の有無を比較した発光素子、及びホスト材料とゲスト材料の重量比を変化させた発光素子、を作製した作製例（発光素子３乃至発光素子５、及び比較発光素子１乃至比較発光素子４）を示す。本実施例で作製した発光素子の断面模式図は、先の実施例１で示した図１４と同様である。また、本実施例で作製した発光素子の詳細を表６及び表７に示す。また、使用した化合物の構造と略称を以下に示す。なお、その他の化合物については、先の実施の形態１または実施例１を参酌すればよい。
【０３７５】
【化５】
0006785544.tif 000015
【０３７６】
【表６】
0006785544.tif 000016
【０３７７】
【表７】
0006785544.tif 000017
【０３７８】
以下に、発光素子３乃至発光素子５、及び比較発光素子１乃至比較発光素子４の作製方法を示す。
【０３７９】
＜発光素子３の作製＞
基板５２０上に電極５０１として、ＩＴＳＯをスパッタリング法にて、厚さ１１０ｎｍになるよう形成した。なお、電極５０１の電極面積としては、４ｍｍ２（２ｍｍ×２ｍｍ）とした。
【０３８０】
次に、基板５２０上に発光素子を形成するため、前処理として、基板表面を水で洗浄し、２００℃で１時間熱処理した後、ＵＶオゾン処理を３７０秒、行った。
【０３８１】
次に、電極５０１が形成された面が下方となるよう、電極５０１が形成された基板５２０を、１×１０−４Ｐａ程度まで減圧した真空蒸着装置内に設けられた基板ホルダーに固定した。その後、電極５０１上に正孔注入層５３１として、ＤＢＴ３Ｐ−ＩＩと、ＭｏＯ３と、を重量比（ＤＢＴ３Ｐ−ＩＩ：ＭｏＯ３）が１：０．５になるよう、且つ厚さが７０ｎｍになるよう共蒸着した。
【０３８２】
次に、正孔注入層５３１上に正孔輸送層５３２として、Ｃｚ２ＤＢＴを厚さ２０ｎｍになるよう蒸着した。
【０３８３】
次に、正孔輸送層５３２上に発光層５２１として、ＰＣＣｚＰＴｚｎと、Ｃｚ２ＤＢＴと、１，６ｍＭｅｍＦＬＰＡＰｒｎと、を重量比（ＰＣＣｚＰＴｚｎ：Ｃｚ２ＤＢＴ：１，６ｍＭｅｍＦＬＰＡＰｒｎ）が０．１：０．９：０．００５になるよう、且つ厚さが３０ｎｍになるよう共蒸着した。なお、発光層５２１において、ＰＣＣｚＰＴｚｎが熱活性化遅延蛍光体（第１の有機化合物）であり、Ｃｚ２ＤＢＴがホスト材料（第２の有機化合物）であり、１，６ｍＭｅｍＦＬＰＡＰｒｎがゲスト材料である。
【０３８４】
次に、発光層５２１上に電子輸送層５３３として、Ｂｐｈｅｎを厚さが３０ｎｍになるよう蒸着した。
【０３８５】
次に、電子輸送層５３３上に電子注入層５３４として、ＬｉＦを厚さが１ｎｍになるよう蒸着した。
【０３８６】
次に、電子注入層５３４上に電極５０２として、Ａｌを、厚さが２００ｎｍになるよう蒸着した。
【０３８７】
以上の工程により、基板５２０上に形成される構造を作製した。なお、上述した成膜過程において、蒸着は全て抵抗加熱法を用いた。
【０３８８】
次に、窒素雰囲気のグローブボックス内において、有機ＥＬ用の封止材を用いて封止基板を基板５２０上に固定することで、発光素子を封止した。具体的には、封止材を発光素子の周囲に塗布し、基板５２０と封止基板とを貼り合わせ、波長が３６５ｎｍの紫外光を６Ｊ／ｃｍ２照射し、８０℃にて１時間熱処理した。以上の工程により、発光素子３を得た。
【０３８９】
＜発光素子４及び発光素子５、比較発光素子１乃至比較発光素子４の作製＞
発光素子４及び発光素子５、比較発光素子１乃至比較発光素子４は、先に示す発光素子３の作製と、発光層の構成のみ異なり、それ以外の工程は発光素子３と同様の作製方法とした。
【０３９０】
発光素子４では、発光層５２１として、ＰＣＣｚＰＴｚｎと、Ｃｚ２ＤＢＴと、ＴＢＰと、を重量比（ＰＣＣｚＰＴｚｎ：Ｃｚ２ＤＢＴ：ＴＢＰ）が０．１：０．９：０．００５になるよう、且つ厚さが３０ｎｍになるよう共蒸着した。なお、発光層５２１において、ＰＣＣｚＰＴｚｎが熱活性化遅延蛍光体（第１の有機化合物）であり、Ｃｚ２ＤＢＴがホスト材料（第２の有機化合物）であり、ＴＢＰがゲスト材料である。すなわち、発光素子４は、発光素子３とゲスト材料のみ異なり、それ以外は同様の構成を有する発光素子である。
【０３９１】
発光素子５では、発光層５２１として、ＰＣＣｚＰＴｚｎと、ＣｚＴＡＺ１と、ＴＢＰと、を重量比（ＰＣＣｚＰＴｚｎ：ＣｚＴＡＺ１：ＴＢＰ）が０．１：０．９：０．００５になるよう、且つ厚さが３０ｎｍになるよう共蒸着した。なお、発光層５２１において、ＰＣＣｚＰＴｚｎが熱活性化遅延蛍光体（第１の有機化合物）であり、ＣｚＴＡＺ１がホスト材料（第２の有機化合物）であり、ＴＢＰがゲスト材料である。すなわち、発光素子５は、発光素子４とホスト材料のみ異なり、それ以外は同様の構成を有する発光素子である。
【０３９２】
比較発光素子１では、発光層５２１として、Ｃｚ２ＤＢＴと、１，６ｍＭｅｍＦＬＰＡＰｒｎと、を重量比（Ｃｚ２ＤＢＴ：１，６ｍＭｅｍＦＬＰＡＰｒｎ）が１：０．０５になるよう、且つ厚さが３０ｎｍになるよう共蒸着した。なお、発光層５２１において、Ｃｚ２ＤＢＴがホスト材料（第２の有機化合物）であり、１，６ｍＭｅｍＦＬＰＡＰｒｎがゲスト材料である。すなわち、比較発光素子１は、熱活性化遅延蛍光体（第１の有機化合物）が用いられていない発光素子である。
【０３９３】
比較発光素子２では、発光層５２１として、ＰＣＣｚＰＴｚｎと、Ｃｚ２ＤＢＴと、１，６ｍＭｅｍＦＬＰＡＰｒｎと、を重量比（ＰＣＣｚＰＴｚｎ：Ｃｚ２ＤＢＴ：１，６ｍＭｅｍＦＬＰＡＰｒｎ）が０．１：０．９：０．０５になるよう、且つ厚さが３０ｎｍになるよう共蒸着した。なお、発光層５２１において、ＰＣＣｚＰＴｚｎが熱活性化遅延蛍光体（第１の有機化合物）であり、Ｃｚ２ＤＢＴがホスト材料（第２の有機化合物）であり、１，６ｍＭｅｍＦＬＰＡＰｒｎがゲスト材料である。すなわち、比較発光素子２は、発光素子３と、ゲスト材料の濃度のみ異なり、それ以外は同様の構成を有する発光素子である。
【０３９４】
比較発光素子３では、発光層５２１として、ＰＣＣｚＰＴｚｎと、Ｃｚ２ＤＢＴと、ＴＢＰと、を重量比（ＰＣＣｚＰＴｚｎ：Ｃｚ２ＤＢＴ：ＴＢＰ）が０．１：０．９：０．０５になるよう、且つ厚さが３０ｎｍになるよう共蒸着した。なお、発光層５２１において、ＰＣＣｚＰＴｚｎが熱活性化遅延蛍光体（第１の有機化合物）であり、Ｃｚ２ＤＢＴがホスト材料（第２の有機化合物）であり、ＴＢＰがゲスト材料である。すなわち、比較発光素子３は、発光素子４と、ゲスト材料の濃度のみ異なり、それ以外は同様の構成を有する発光素子である。
【０３９５】
比較発光素子４では、発光層５２１として、ＰＣＣｚＰＴｚｎと、ＣｚＴＡＺ１と、ＴＢＰと、を重量比（ＰＣＣｚＰＴｚｎ：ＣｚＴＡＺ１：ＴＢＰ）が０．１：０．９：０．０５になるよう、且つ厚さが３０ｎｍになるよう共蒸着した。なお、発光層５２１において、ＰＣＣｚＰＴｚｎが熱活性化遅延蛍光体（第１の有機化合物）であり、ＣｚＴＡＺ１がホスト材料（第２の有機化合物）であり、ＴＢＰがゲスト材料である。すなわち、比較発光素子４は、発光素子５と、ゲスト材料の濃度のみ異なり、それ以外は同様の構成を有する発光素子である。
【０３９６】
＜発光素子の特性＞
次に、上記作製した発光素子３、比較発光素子１、及び比較発光素子２の電流効率−輝度特性を図２０に、電流−電圧特性を図２１に、外部量子効率−輝度特性を図２２に、それぞれ示す。また、発光素子３、比較発光素子１、及び比較発光素子２に２．５ｍＡ／ｃｍ２の電流密度で電流を流した際の電界発光スペクトルを図２３に示す。また、発光素子４、発光素子５、比較発光素子３、及び比較発光素子４の電流効率−輝度特性を図２４に、電流−電圧特性を図２５に、外部量子効率−輝度特性を図２６に、それぞれ示す。また、発光素子４、発光素子５、比較発光素子３、及び比較発光素子４に２．５ｍＡ／ｃｍ２の電流密度で電流を流した際の電界発光スペクトルを図２７に示す。なお、各発光素子の測定は、室温（２３℃に保たれた雰囲気）で行った。
【０３９７】
また、１００ｃｄ／ｍ２付近における、発光素子３乃至発光素子５、及び比較発光素子１乃至比較発光素子４の素子特性を表８に示す。
【０３９８】
【表８】
0006785544.tif 000018
【０３９９】
図２３、及び図２７の発光スペクトルより、発光素子３乃至発光素子５、及び比較発光素子１乃至比較発光素子４は、それぞれゲスト材料に由来する青色の発光を呈していることが分かる。
【０４００】
また、図２０乃至図２２、及び図２４乃至図２６に示すように、発光素子３乃至発光素子５は、高い発光効率を示した。一方、比較発光素子１乃至比較発光素子４は、十分な発光効率が得られていない。
【０４０１】
本実施例で用いた熱活性化遅延蛍光体（ＰＣＣｚＰＴｚｎ）とホスト材料（Ｃｚ２ＤＢＴまたはＣｚＴＡＺ１）の溶液状態での酸化電位及び還元電位の測定結果と、そのから見積もったＨＯＭＯ及びＬＵＭＯのエネルギー準位を表９にそれぞれ示す。なお、測定方法は実施の形態１に示した方法と同様である。
【０４０２】
【表９】
0006785544.tif 000019
【０４０３】
表９で示すように、発光素子３乃至発光素子５において、熱活性化遅延蛍光体の酸化電位は、ホスト材料の酸化電位以下であり、熱活性化遅延蛍光体の還元電位は、ホスト材料の還元電位以上となっているため、当該酸化電位及び還元電位から見積もられたＨＯＭＯ及びＬＵＭＯのエネルギー準位において、熱活性化遅延蛍光体のＨＯＭＯは、ホスト材料のＨＯＭＯ以上のエネルギー準位を有し、熱活性化遅延蛍光体のＬＵＭＯは、ホスト材料のＬＵＭＯ以下のエネルギー準位を有している。したがって、熱活性化遅延蛍光体で効率よくキャリアが再結合し、生成した一重項励起状態および三重項励起状態のエネルギーの双方が、効率よくゲスト材料にエネルギー移動することができる。そのため、発光素子３乃至発光素子５は、高い発光効率を示している。
【０４０４】
また、発光素子３は、比較発光素子２より発光効率が高く、比較発光素子２は、比較発光素子１より発光効率が高いことから、発光層５２１に熱活性化遅延蛍光体としてＰＣＣｚＰＴｚｎを用いることで、発光効率が向上することが分かった。これは、熱活性化遅延蛍光体であるＰＣＣｚＰＴｚｎにおいて、生成した三重項励起状態が逆項間交差によって一重項励起状態に変換されたためである。
【０４０５】
また、発光素子３は、比較発光素子２より発光効率が高いことから、発光層５２１におけるホスト材料（Ｃｚ２ＤＢＴ）とゲスト材料（１，６ｍＭｅｍＦＬＰＡＰｒｎ）の重量比（ホスト材料：ゲスト材料）は、１：０．００１から１：０．０１であることが好ましいことが分かった。これは、ホスト材料に対するゲスト材料の濃度が十分に低いことで、ゲスト材料の三重項励起状態の生成を抑制することができるためである。
【０４０６】
同様に、発光素子４は、比較発光素子３より発光効率が高く、発光素子５は、比較発光素子４より発光効率が高いことから、発光層５２１におけるホスト材料（Ｃｚ２ＤＢＴまたはＣｚＴＡＺ１）とゲスト材料（ＴＢＰ）の重量比（ホスト材料：ゲスト材料）は、１：０．００１から１：０．０１であることが好ましいことが分かった。
【０４０７】
したがって、ホスト材料と熱活性化遅延蛍光体の重量比（ホスト材料：熱活性化遅延蛍光体）は、好ましくは１：０．０５から１：０．５であり、ホスト材料とゲスト材料の重量比（ホスト材料：ゲスト材料）は、好ましくは１：０．００１から１：０．０１である。
【０４０８】
以上、本発明の一態様の構成を用いることで、高い発光効率を有する発光素子を作製することができる。
【符号の説明】
【０４０９】
１００    ＥＬ層
１０１    電極
１０２    電極
１１１    正孔注入層
１１２    正孔輸送層
１１８    電子輸送層
１１９    電子注入層
１２０    発光層
１３１    有機化合物
１３２    有機化合物
１３３    ゲスト材料
１５０    発光素子
４０１    電極
４０２    電極
４１１    正孔注入層
４１２    正孔輸送層
４１３    電子輸送層
４１４    電子注入層
４１５    正孔注入層
４１６    正孔輸送層
４１７    電子輸送層
４１８    電子注入層
４２１    有機化合物
４２２    有機化合物
４２３    ゲスト材料
４３１    有機化合物
４３２    有機化合物
４３３    ゲスト材料
４４１    発光ユニット
４４２    発光ユニット
４４３    発光層
４４４    発光層
４４５    電荷発生層
４４６    発光ユニット
４４７    発光ユニット
４４８    発光層
４４９    発光層
４５０    発光素子
４５２    発光素子
４６１    ホスト材料
４６２    ゲスト材料
４７１    有機化合物
４７２    有機化合物
４７３    ゲスト材料
５０１    電極
５０２    電極
５２０    基板
５２１    発光層
５３１    正孔注入層
５３２    正孔輸送層
５３３    電子輸送層
５３３ａ    電子輸送層
５３３ｂ    電子輸送層
５３４    電子注入層
８０１    画素回路
８０２    画素部
８０４    駆動回路部
８０４ａ    走査線駆動回路
８０４ｂ    信号線駆動回路
８０６    保護回路
８０７    端子部
８５２    トランジスタ
８５４    トランジスタ
８６２    容量素子
８７２    発光素子
２０００    タッチパネル
２００１    タッチパネル
２５０１    表示装置
２５０２Ｒ    画素
２５０２ｔ    トランジスタ
２５０３ｃ    容量素子
２５０３ｇ（１）    走査線駆動回路
２５０３ｔ    トランジスタ
２５０９    ＦＰＣ
２５１０    基板
２５１０ａ    絶縁層
２５１０ｂ    可撓性基板
２５１０ｃ    接着層
２５１１    配線
２５１９    端子
２５２１    絶縁層
２５２８    隔壁
２５５０Ｒ    発光素子
２５６０    封止層
２５６７ＢＭ    遮光層
２５６７ｐ    反射防止層
２５６７Ｒ    着色層
２５７０    基板
２５７０ａ    絶縁層
２５７０ｂ    可撓性基板
２５７０ｃ    接着層
２５８０Ｒ    発光モジュール
２５９０    基板
２５９１    電極
２５９２    電極
２５９３    絶縁層
２５９４    配線
２５９５    タッチセンサ
２５９７    接着層
２５９８    配線
２５９９    接続層
２６０１    パルス電圧出力回路
２６０２    電流検出回路
２６０３    容量
２６１１    トランジスタ
２６１２    トランジスタ
２６１３    トランジスタ
２６２１    電極
２６２２    電極
８０００    表示モジュール
８００１    上部カバー
８００２    下部カバー
８００３    ＦＰＣ
８００４    タッチセンサ
８００５    ＦＰＣ
８００６    表示装置
８００９    フレーム
８０１０    プリント基板
８０１１    バッテリ
８５０１    照明装置
８５０２    照明装置
８５０３    照明装置
８５０４    照明装置
９０００    筐体
９００１    表示部
９００３    スピーカ
９００５    操作キー
９００６    接続端子
９００７    センサ
９００８    マイクロフォン
９０５０    操作ボタン
９０５１    情報
９０５２    情報
９０５３    情報
９０５４    情報
９０５５    ヒンジ
９１００    携帯情報端末
９１０１    携帯情報端末
９１０２    携帯情報端末
９２００    携帯情報端末
９２０１    携帯情報端末
【図１】
0006785544.tif 000020
【図２】
0006785544.tif 000021
【図３】
0006785544.tif 000022
【図４】
0006785544.tif 000023
【図５】
0006785544.tif 000024
【図６】
0006785544.tif 000025
【図７】
0006785544.tif 000026
【図８】
0006785544.tif 000027
【図９】
0006785544.tif 000028
【図１０】
0006785544.tif 000029
【図１１】
0006785544.tif 000030
【図１２】
0006785544.tif 000031
【図１３】
0006785544.tif 000032
【図１４】
0006785544.tif 000033
【図１５】
0006785544.tif 000034
【図１６】
0006785544.tif 000035
【図１７】
0006785544.tif 000036
【図１８】
0006785544.tif 000037
【図１９】
0006785544.tif 000038
【図２０】
0006785544.tif 000039
【図２１】
0006785544.tif 000040
【図２２】
0006785544.tif 000041
【図２３】
0006785544.tif 000042
【図２４】
0006785544.tif 000043
【図２５】
0006785544.tif 000044
【図２６】
0006785544.tif 000045
【図２７】
0006785544.tif 000046